(57)【特許請求の範囲】
【請求項１】
マスタがロール状に巻かれたマスタロールから上記マスタを繰り出し可能に貯容するマスタ貯容手段と、上記マスタロールから繰り出される上記マスタを製版する製版手段と、上記マスタを切断する裁断手段とを具備する製版書込み装置において、
上記マスタ貯容手段を備え、かつ、上記製版書込み装置の本体に挿入された製版挿入位置と、この製版挿入位置から外れた、上記マスタロールの着脱を行うロール着脱位置との間で移動自在なマスタ保持ユニットと、
上記マスタ保持ユニットを、上記製版挿入位置と上記ロール着脱位置との間で移動自在に案内する案内手段と、
上記マスタ保持ユニットに設けられた、上記マスタロールから繰り出される上記マスタの先端部を載置するマスタ案内手段と、
上記マスタ保持ユニットに設けられた、上記マスタの先端部を介して上記マスタ案内手段に接触し上記マスタを搬送するマスタ搬送手段と、
上記マスタ搬送手段を駆動するマスタ搬送駆動手段とを有し、
上記マスタ搬送手段は、上記マスタ保持ユニットが上記製版挿入位置を占めたとき、上記マスタ案内手段に接触し、上記マスタ保持ユニットが上記ロール着脱位置を占めたとき、上記マスタ案内手段から離間することを特徴とする製版書込み装置。
【請求項２】
請求項１記載の製版書込み装置において、
上記マスタ貯容手段に設けられた、上記マスタ保持ユニットが上記製版挿入位置を占めたとき、上記マスタロールの端面に当接可能であって上記マスタロールの上記端面の位置決めをする位置決め位置と、上記マスタ保持ユニットが上記ロール着脱位置を占めたとき、上記マスタロールの上記端面から離間する非位置決め位置との間で移動自在なロール位置決め手段と、
上記ロール位置決め手段を、上記位置決め位置と上記非位置決め位置との間で移動自在に案内するロール位置決め案内手段と、
を有することを特徴とする製版書込み装置。
【請求項３】
請求項１記載の製版書込み装置において、
上記マスタ貯容手段に設けられた、上記マスタロールの端面に当接可能であって上記マスタロールの上記端面の位置決めをする位置決め位置と上記マスタロールの上記端面から離間する離間位置との間で移動自在なロール位置決め手段と、
上記ロール位置決め手段を上記位置決め位置に弾性的に付勢する弾性付勢手段とを有することを特徴とする製版書込み装置。
【請求項４】
請求項２または３記載の製版書込み装置において、
上記マスタロールの軸方向には、上記マスタをロール状に巻き付けるためのパイプ状の芯管が設けられており、
上記ロール位置決め手段は、上記芯管に嵌入して位置決めをする略円錐状のロールフランジを有することを特徴とする製版書込み装置。
【請求項５】
請求項４記載の製版書込み装置において、
上記マスタロールの上記端面は、上記芯管の両端と同じ位置に形成されており、上記ロールフランジには、上記マスタロールの上記端面に当接可能であって、上記マスタロールから上記マスタを繰り出し回転する際の回転方向と逆方向の抵抗力を生じさせる摩擦抵抗部が備えられていることを特徴とする製版書込み装置。
【請求項６】
請求項１ないし５の何れか一つに記載の製版書込み装置において、
上記マスタ搬送駆動手段は上記本体側に設けられていて、上記マスタ保持ユニットが上記製版挿入位置を占めたとき、上記マスタ搬送駆動手段からの駆動力が上記マスタ搬送手段に伝達され、上記マスタ保持ユニットが上記ロール着脱位置を占めたとき、上記マスタ搬送駆動手段からの駆動力の上記マスタ搬送手段への伝達が断たれることを特徴とする製版書込み装置。
【請求項７】
請求項１ないし６の何れか一つに記載の製版書込み装置において、
上記製版手段は、上記マスタを選択的に加熱製版するサーマルヘッドと、このサーマルヘッドとの間に上記マスタを押圧しながら回転するプラテンローラとを有することを特徴とする製版書込み装置。
【請求項８】
請求項７記載の製版書込み装置において、
上記サーマルヘッドと上記プラテンローラとは、接離可能に構成されており、
上記マスタ案内手段は、上記マスタ保持ユニットが上記製版挿入位置を占めたとき、上記サーマルヘッドまたは上記プラテンローラに近接もしくは当接することを特徴とする製版書込み装置。
【請求項９】
請求項７または８記載の製版書込み装置において、
上記マスタ保持ユニットが上記製版挿入位置を占めたとき、上記マスタ案内手段に係合して上記サーマルヘッドと上記プラテンローラとの押圧部近傍に上記マスタ搬送手段によって搬送される上記マスタの先端を位置決め導入するマスタ導入手段を、上記押圧部近傍と上記マスタ案内手段との間に設けたことを特徴とする製版書込み装置。
【請求項１０】
請求項７，８または９記載の製版書込み装置において、
上記サーマルヘッドと上記プラテンローラとは、接離可能に構成されており、
上記サーマルヘッドと上記プラテンローラとの接離動作を行わせるプラテン圧制御手段と、
上記マスタ搬送手段の動作開始時期を検知する作動検知手段と、
上記マスタの先端が繰り出されるマスタ搬送路上に配置された、上記マスタの先端を検知する先端検知手段と、
上記作動検知手段からの検知信号に基づき、上記マスタの先端が上記先端検知手段により検知されるまでの間、上記マスタ搬送駆動手段をして上記マスタ搬送手段を動作させて上記マスタを繰り出すとともに、上記先端検知手段による上記マスタの先端の検知信号に基づき、上記プラテン圧制御手段をして上記サーマルヘッドと上記プラテンローラとによる上記マスタの押圧可能な状態を設定する制御手段と、
を有することを特徴とする製版書込み装置。
【請求項１１】
請求項１０記載の製版書込み装置において、
上記作動検知手段は、上記マスタ保持ユニットが上記製版挿入位置を占めていることを検知するマスタセット検知手段からなり、
上記制御手段は、上記マスタセット検知手段により上記マスタ保持ユニットが上記製版挿入位置から外れたことが検知されたときに、上記プラテン圧制御手段をして、上記サーマルヘッドと上記プラテンローラとによる上記マスタの押圧が解除される状態に設定することを特徴とする製版書込み装置。
【請求項１２】
請求項７，８または９記載の製版書込み装置において、
上記サーマルヘッドと上記プラテンローラとは、接離可能に構成されており、
上記サーマルヘッドと上記プラテンローラとの接離動作を行わせるプラテン圧制御手段と、
上記マスタ搬送手段の動作開始時期を設定する作動設定手段と、
上記マスタの先端が繰り出されるマスタ搬送路上に配置された、上記マスタの先端を検知する先端検知手段と、
上記作動設定手段からの設定信号に基づき、上記マスタの先端が上記先端検知手段により検知されるまでの間、上記マスタ搬送駆動手段をして上記マスタ搬送手段を動作させて上記マスタを繰り出すとともに、上記先端検知手段による上記マスタの先端の検知信号に基づき、上記プラテン圧制御手段をして上記サーマルヘッドと上記プラテンローラとによる上記マスタの押圧可能な状態を設定する制御手段と、
を有することを特徴とする製版書込み装置。
【発明の詳細な説明】
【０００１】
【発明の属する技術分野】
本発明は、製版装置に関し、さらに詳しくは加熱穿孔を含む加熱製版が可能な製版書込み装置に関する。
【０００２】
【従来の技術】
簡便な印刷装置として感熱デジタル製版式の孔版印刷装置が知られている。
この孔版印刷装置は、熱可塑性樹脂フィルムを有する感熱孔版用マスタに対してサーマルヘッドにより画像情報に応じて加熱穿孔し、その加熱穿孔された製版済マスタを版胴に巻装したうえで、版胴内部からインキを供給するようになっている。版胴に巻装されたマスタに対して、版胴内部から供給されたインキを版胴表面に滲み出させ、製版済マスタを介して版胴表面に印刷用紙を押圧することにより、製版済マスタの穿孔部分から滲み出るインキを印刷用紙に転移させて画像を印刷する。
【０００３】
マスタの穿孔処理に用いられるサーマルヘッドは、版胴の軸方向に相当する主走査方向に沿って配列された複数の発熱素子を有し、その発熱素子に対する選択的な通電制御によって発熱素子を選択的に発熱させることにより発熱位置に対応するマスタの箇所を加熱溶融させて穿孔するようになっている。
【０００４】
ところで、上記した孔版印刷装置には、製版に必要な画像情報を原稿から読み取るための原稿読み取り部を印刷装置内の製版書込み部の上部に配置して原稿の読み取りと製版処理とを印刷装置内で一貫して行なうようにした構成を備えたものがある（例えば、実開昭６３ー１７８１３４号公報参照）。上記した印刷装置では、例えば、マスタが消費されて新たなマスタと交換されて製版処理が実行されるような場合、次の手順が採られる。
【０００５】
先ず、印刷装置の上部に配置されている原稿読み取り部を正規の位置からずらして製版書込み部の全域が装置上方から目視することができる状態とする。次いで、プラテンローラに対するサーマルヘッドの当接状態を解除するためのローラ解除レバーを操作することにより、サーマルヘッドとプラテンローラとの間に押圧されているマスタの先端部の押圧状態が解除されるので、使いきったマスタロールを、そのマスタロールの芯管の両端に装着されているフランジごと製版書込み部のロール支持部から取り外す。そして、新しいマスタロールの芯管の両端に上記フランジを付け替えた後、そのマスタロールを印刷装置の上方からロール支持部に装着し、マスタロールからマスタの先端を手動で引き出して拡開しているサーマルヘッドとプラテンローラとの間にマスタの先端を差し込んでから上記ローラ解除レバーを元に戻すことにより、サーマルヘッドとプラテンローラとの間にマスタの先端を押圧させる。
【０００６】
このとき、しばしば、サーマルヘッドおよびプラテンローラの間の押圧部とマスタロールとの間のマスタの弛みを除去してマスタの詰まりやシワを防止する目的で、マスタの繰り出し方向と反対方向に上記フランジを手動で逆転させることにより、上記マスタの弛みを取り除く処理が行われる。次いで、マスタカットボタンを押して、所定の長さもしくは形状をもってマスタの先端部を切断し、その切断された切断片を装置外部に取り出した後、原稿読み取り部を印刷装置の正規の位置に戻すようになっている。なお、マスタは、占有面積を小さくする意図で、通常、芯管の周りに巻き付けられてロール状に形成されたマスタロールで供給される。
【０００７】
また、近年、比較的薄いマスタ、あるいは実質的に熱可塑性樹脂フィルムのみからなるマスタを用いることにより、装置の小型化、マスタロール径の減少化、いわゆる繊維目を低減させることによる画質の向上、加熱穿孔時間を速めることによる高速製版を行う等の種々の試みがなされている。ここで、実質的に熱可塑性樹脂フィルムのみからなるマスタとは、マスタが熱可塑性樹脂フィルムのみからなるものの他、熱可塑性樹脂フィルムに帯電防止剤等の微量成分を含有させてなるもの、さらには熱可塑性樹脂フィルムの両主面、すなわち表面および裏面のうち少なくとも一方にオーバーコート層等の薄膜層を１層または複数層形成してなるものを含む。マスタは、比較的薄い感熱性樹脂材料を用いられていることが多く、ロール状に形成されている場合には、マスタロールからマスタの先端を繰り出す際に破損したり、折れ曲がったりすることもあり、簡単に繰り出すことができないという不具合があった。さらに、マスタロールからマスタを繰り出す場合には、その中心に位置する回転軸を駆動することがある。このため、新しいマスタロールの場合には、その外径が最大寸法となっているので回転トルクが大きく必要となる。このような回転トルクを出力するためには、駆動機構が大型化したり、あるいは回転力の伝達が良好に行なえない等の不具合も発生する。そこで、本願出願人は、上記の不具合点を解消するために、従来の印刷装置、特に、その印刷装置に組み込まれている製版装置における問題に鑑み、マスタの装着を容易にすることができ、マスタロールからのマスタの繰り出しを確実かつ自動的に行い得る新規な製版装置を、特願平８−１７００４０号等で提案した。
【０００８】
【発明が解決しようとする課題】
しかしながら、前者の製版装置においては、上記したような手順では次のような種々の問題点がある。
【０００９】
▲１▼  原稿読み取り部を移動させる必要がある。
【００１０】
▲２▼  マスタロールの芯管の両端にフランジを脱着させる必要がある。
【００１１】
▲３▼  マスタの先端部を、製版書込み部のサーマルヘッドとプラテンローラとの間に差し込む必要がある。
【００１２】
▲４▼  マスタの先端部を切断してその切断片を取り除く必要がある。
【００１３】
すなわち、上記▲１▼ないし▲４▼に問題点を列挙したように、マスタロール交換時の作業が複雑で分かりにくく、かつ、面倒であり、かなりの熟練を必要とすることからだれでもできる訳ではなく、専任のオペレータ等が必要となる問題があった。
【００１４】
。
【００１４】
また、後者における新規な製版装置では、腰の弱いもしくは腰の殆ど無いマスタを用いてマスタロールからマスタの先端を自動的に剥離・分離することはできるが、マスタロールの軸方向における外周径のバラツキあるいはそのときの湿度や温度等の影響が複雑に絡み合って、マスタの先端の剥離・分離が不能となる場合があり、信頼性という点で向上すべき問題点があるとともに、マスタロールからマスタの先端を自動的に剥離・分離するために装置が複雑となり、高価格化は避けることができない。
【００１５】
したがって、上記従来の製版書込み装置における種々の問題点を解決するために、本発明の第１の目的は、マスタロール交換時の作業が簡単で分かり易く、かつ、マスタロールの着脱およびマスタのセットを容易にすることができる製版書込み装置を提供することにある。
【００１６】
本発明の第２の目的は、マスタロールからマスタの先端を確実に繰り出すことができて、信頼性が高く、装置の簡素化および低価格化を図れる製版書込み装置を提供することにある。
【００１７】
本発明の第３の目的は、比較的薄いマスタを用いることにより、装置の小型化、マスタロール径の減少化、いわゆる繊維目を低減させることによる画質の向上、加熱穿孔時間を速めることによる高速製版を行うことが可能な製版書込み装置を提供することにある。
【００１８】
【課題を解決するための手段】
上述した目的を達成するために、請求項１記載の発明は、マスタがロール状に巻かれたマスタロールから上記マスタを繰り出し可能に貯容するマスタ貯容手段と、上記マスタロールから繰り出される上記マスタを製版する製版手段と、上記マスタを切断する裁断手段とを具備する製版書込み装置において、上記マスタ貯容手段を備え、かつ、上記製版書込み装置の本体に挿入された製版挿入位置と、この製版挿入位置から外れた、上記マスタロールの着脱を行うロール着脱位置との間で移動自在なマスタ保持ユニットと、上記マスタ保持ユニットを、上記製版挿入位置と上記ロール着脱位置との間で移動自在に案内する案内手段と、上記マスタ保持ユニットに設けられた、上記マスタロールから繰り出される上記マスタの先端部を載置するマスタ案内手段と、上記マスタ保持ユニットに設けられた、上記マスタの先端部を介して上記マスタ案内手段に接触し上記マスタを搬送するマスタ搬送手段と、上記マスタ搬送手段を駆動するマスタ搬送駆動手段とを有し、上記マスタ搬送手段は、上記マスタ保持ユニットが上記製版挿入位置を占めたとき、上記マスタ案内手段に接触し、上記マスタ保持ユニットが上記ロール着脱位置を占めたとき、上記マスタ案内手段から離間することを特徴とする。
【００１９】
請求項２記載の発明は、請求項１記載の製版書込み装置において、上記マスタ貯容手段に設けられた、上記マスタ保持ユニットが上記製版挿入位置を占めたとき、上記マスタロールの端面に当接可能であって上記マスタロールの上記端面の位置決めをする位置決め位置と、上記マスタ保持ユニットが上記ロール着脱位置を占めたとき、上記マスタロールの上記端面から離間する非位置決め位置との間で移動自在なロール位置決め手段と、上記ロール位置決め手段を、上記位置決め位置と上記非位置決め位置との間で移動自在に案内するロール位置決め案内手段とを有することを特徴とする。
【００２０】
請求項３記載の発明は、請求項１記載の製版書込み装置において、上記マスタ貯容手段に設けられた、上記マスタロールの端面に当接可能であって上記マスタロールの上記端面の位置決めをする位置決め位置と上記マスタロールの上記端面から離間する離間位置との間で移動自在なロール位置決め手段と、上記ロール位置決め手段を上記位置決め位置に弾性的に付勢する弾性付勢手段とを有することを特徴とする。
【００２１】
請求項４記載の発明は、請求項２または３記載の製版書込み装置において、上記マスタロールの軸方向には、上記マスタをロール状に巻き付けるためのパイプ状の芯管が設けられており、上記ロール位置決め手段は、上記芯管に嵌入して位置決めをする略円錐状のロールフランジを有することを特徴とする。
【００２２】
請求項５記載の発明は、請求項４記載の製版書込み装置において、上記マスタロールの上記端面は、上記芯管の両端と同じ位置に形成されており、上記ロールフランジには、上記マスタロールの上記端面に当接可能であって、上記マスタロールから上記マスタを繰り出し回転する際の回転方向と逆方向の抵抗力を生じさせる摩擦抵抗部が備えられていることを特徴とする。
【００２３】
請求項６記載の発明は、請求項１ないし５の何れか一つに記載の製版書込み装置において、上記マスタ搬送駆動手段は上記本体側に設けられていて、上記マスタ保持ユニットが上記製版挿入位置を占めたとき、上記マスタ搬送駆動手段からの駆動力が上記マスタ搬送手段に伝達され、上記マスタ保持ユニットが上記ロール着脱位置を占めたとき、上記マスタ搬送駆動手段からの駆動力の上記マスタ搬送手段への伝達が断たれることを特徴とする。
【００２４】
請求項７記載の発明は、請求項１ないし６の何れか一つに記載の製版書込み装置において、上記製版手段は、上記マスタを選択的に加熱製版するサーマルヘッドと、このサーマルヘッドとの間に上記マスタを押圧しながら回転するプラテンローラとを有することを特徴とする。
【００２５】
請求項８記載の発明は、請求項７記載の製版書込み装置において、上記サーマルヘッドと上記プラテンローラとは、接離可能に構成されており、上記マスタ案内手段は、上記マスタ保持ユニットが上記製版挿入位置を占めたとき、上記サーマルヘッドまたは上記プラテンローラに近接もしくは当接することを特徴とする。
【００２６】
請求項９記載の発明は、請求項７または８記載の製版書込み装置において、上記マスタ保持ユニットが上記製版挿入位置を占めたとき、上記マスタ案内手段に係合して上記サーマルヘッドと上記プラテンローラとの押圧部近傍に上記マスタ搬送手段によって搬送される上記マスタの先端を位置決め導入するマスタ導入手段を、上記押圧部近傍と上記マスタ案内手段との間に設けたことを特徴とする。
【００２７】
請求項１０記載の発明は、請求項７，８または９記載の製版書込み装置において、上記サーマルヘッドと上記プラテンローラとは、接離可能に構成されており、上記サーマルヘッドと上記プラテンローラとの接離動作を行わせるプラテン圧制御手段と、上記マスタ搬送手段の動作開始時期を検知する作動検知手段と、
上記マスタの先端が繰り出されるマスタ搬送路上に配置された、上記マスタの先端を検知する先端検知手段と、上記作動検知手段からの検知信号に基づき、上記マスタの先端が上記先端検知手段により検知されるまでの間、上記マスタ搬送駆動手段をして上記マスタ搬送手段を動作させて上記マスタを繰り出すとともに、上記先端検知手段による上記マスタの先端の検知信号に基づき、上記プラテン圧制御手段をして上記サーマルヘッドと上記プラテンローラとによる上記マスタの押圧可能な状態を設定する制御手段とを有することを特徴とする。
【００２８】
請求項１１記載の発明は、請求項１０記載の製版書込み装置において、上記作動検知手段は、上記マスタ保持ユニットが上記製版挿入位置を占めていることを検知するマスタセット検知手段からなり、上記制御手段は、上記マスタセット検知手段により上記マスタ保持ユニットが上記製版挿入位置から外れたことが検知されたときに、上記プラテン圧制御手段をして、上記サーマルヘッドと上記プラテンローラとによる上記マスタの押圧が解除される状態に設定することを特徴とする。
【００２９】
請求項１２記載の発明は、請求項７，８または９記載の製版書込み装置において、上記サーマルヘッドと上記プラテンローラとは、接離可能に構成されており、上記サーマルヘッドと上記プラテンローラとの接離動作を行わせるプラテン圧制御手段と、上記マスタ搬送手段の動作開始時期を設定する作動設定手段と、上記マスタの先端が繰り出されるマスタ搬送路上に配置された、上記マスタの先端を検知する先端検知手段と、上記作動設定手段からの設定信号に基づき、上記マスタの先端が上記先端検知手段により検知されるまでの間、上記マスタ搬送駆動手段をして上記マスタ搬送手段を動作させて上記マスタを繰り出すとともに、上記先端検知手段による上記マスタの先端の検知信号に基づき、上記プラテン圧制御手段をして上記サーマルヘッドと上記プラテンローラとによる上記マスタの押圧可能な状態を設定する制御手段とを有することを特徴とする。
【００４７】
【発明の実施の形態】
本発明を詳述するために、添付の図面に従って、実施例を含めて発明の実施の形態を説明する。
各図において、図面の簡明化を図るため各構成部品を適宜省略する。また、図において一対で構成されていて特別に区別して説明する必要がない構成部品は、説明の簡明化を図る上から、その片方を適宜記載することでその説明に代えるものとする。構成部品の形状およびその配置位置を説明する際において、マスタ搬送方向（以下、マスタ繰り出し方向というときもある）の下流側を「前」とその上流側を「後」というときがあり、またマスタ搬送方向から見てマスタ幅方向の左側を「左」（紙面の手前側でもある）と、マスタ幅方向の右側を「右」（紙面の奥側でもある）というときがある。以下説明する各発明の実施の形態および変形例等に亘り同一の形状および機能を有する構成部品等については、同一の符号を付すことによりその説明をできる限り省略する。
【００４８】
（実施の形態１）
図１は、本発明の製版書込み装置に係る第１の発明の実施の形態（以下、単に「実施の形態１」という）が適用された印刷装置の全体構成を模式的に示す。この印刷装置は、穿孔製版されたマスタを用いて印刷を行う孔版印刷装置であり、以下、まず、この孔版印刷装置の構成について述べる。
【００４９】
図１において、符号１は、孔版印刷装置を示す。この孔版印刷装置１は、版胴２が配置された孔版印刷工程部を備えていて、給紙装置１５、製版書込み装置２０、排版部９０および排紙部から主に構成されている。孔版印刷装置１において、製版書込み装置２０は本発明に係る新規な構成を有しており、これ以外の給紙装置１５、排版部９０および上記排紙部等は周知の構成を有する。
【００５０】
孔版印刷装置１は、支軸３を中心にして正逆回転可能な版胴２を備えている。版胴２は、印刷工程実行時には時計回り方向に回転し、マスタを排出する場合には反時計回り方向に回転するように回転方向が設定されている。
【００５１】
版胴２は、その外周面上に穿孔製版された製版済みのマスタを巻き付ける周知の構造および機能を有する。版胴２は、一部を除いて周面に多数の穿孔が形成されており、その表面には、例えば合成繊維からなる薄層のメッシュスクリ−ン（図示せず）が取り付けられている。このメッシュスクリーンの材料としては金属を用いることも可能である。
【００５２】
版胴２の周面で穿孔が形成されていない箇所には、マスタの先端を挾持するためのクランパ４が配設されている。クランパ４は、版胴２の一つの母線に沿って配置された載置面を有するステージ４Ｂと、このステージ４Ｂの一側端に配設された枢軸４Ｃに揺動可能に支持されステージ４Ｂに対して接離自在な把持部材４Ａとで構成されている。ステージ４Ｂは磁性体でできていて、把持部材４Ａはゴム磁石でできている。ステージ４Ｂは、マスタの先端を載置することができ、ステージ４Ｂ上に先端を載置されたマスタは、ステージ４Ｂと把持部材４Ａとにより挟持されて固定されるようになっている。マスタの先端部以外の範囲は、後述するインキ供給機構５から版胴２の表面に向け供給されるインキの粘着力によって版胴表面に付着するようになっている。
【００５３】
版胴２の内部には、インキ供給機構５が設けられている。インキ供給機構５は、支軸３の略真下に配置されており、インキローラ６とドクタローラ７とを主要部として備えている。
【００５４】
インキローラ６は、金属ローラでなり、支軸３の下方の版胴２内で、後述するプレスローラ９と対向する位置に版胴２を挾んで配置されている。インキローラ６は、版胴２の内周面に当接しながら、版胴２の周速度と同期した周速度で回転し、ドクタローラ７によって担持量を規定されたインキを版胴２およびメッシュスクリーンの開孔内に供給することができるようになっている。
【００５５】
ドクタローラ７によって担持量を規定されるインキは、支軸３に形成されている吐出口３ａから上記両ローラ６，７で形成されている楔状空間部のインキ溜まり８に滴下されるようになっている。インキローラ６は、後述するプレスローラ９と対向する位置に配置されていることにより、版胴２にプレスローラ９が押圧したときの圧力によって版胴２が変形するのを防止するバックアップローラとしての機能も持ち合せている。
【００５６】
インキローラ６の下方には、版胴２を挾んでインキローラ６に対向するプレスローラ９が配置されている。プレスローラ９は、回転部材で構成されていて、版胴２に対して接離可能に設けられている。プレスローラ９は、揺動アーム１０の一方の自由端において回転自在に支持されている。揺動アーム１０の他方の揺動端は、扇状カム１１の輪郭周面に圧接している。扇状カム１１は、図示しない駆動部によって後述する給紙装置１５からの印刷用紙Ｓの給紙タイミングに合せて回転されるようになっており、給紙装置１５から印刷用紙Ｓが給紙されない時には、その大径部を揺動アーム１０の他方の揺動端に対向させている。
【００５７】
扇状カム１１は、給紙装置１５から印刷用紙Ｓが給紙されると回転して、その小径部を揺動アーム１０の他方の揺動端に対向させ、揺動アーム１０を図１において時計回り方向に回転させる。これにより、印刷用紙Ｓは、給紙装置１５から給送されて版胴２とプレスローラ９との間に挿入されたとき、プレスローラ９が上昇変位されることによって版胴２の表面に押圧される。印刷用紙Ｓは、製版済みのマスタを介して版胴２の表面に押圧されると、版胴２に巻装されているマスタの穿孔部分から転移するインキによって印刷される。それ故に、プレスローラ９が版胴２に押圧する位置は、画像転写部をなす部分とされる。
【００５８】
給紙装置１５は、プレスローラ９の図において右方近傍に配置されている。給紙装置１５は、繰り出しローラ１７、分離ローラ１８およびレジストローラ１９を給紙方向に沿って備えている。
【００５９】
繰り出しローラ１７は、給紙トレイ１６に収容されている印刷用紙Ｓの最上位のものに対して相対的に接離可能に設けられ、印刷用紙Ｓを図示矢印方向に相当する給紙方向に向け繰り出すようになっている。上記した給紙トレイ１６は、昇降自在に設けられており、最上位に位置する印刷用紙Ｓを繰り出しローラ１７に当接させるようになっている。印刷用紙Ｓを補給する際には、給紙トレイ１６が下降され、最上昇位置との間に形成される空間内に印刷用紙Ｓを挿入することができる。
【００６０】
分離ローラ１８は、繰り出しローラ１７と同様に印刷用紙Ｓのうちの最上位のものに当接して回転可能であり、最上位にある印刷用紙Ｓのみを繰り出すことができるように、印刷用紙Ｓ同士の摩擦係数よりも印刷用紙Ｓのうちの最上位のものとの間の摩擦係数が大きく設定されている。
【００６１】
レジストローラ１９は、印刷用紙Ｓの給送路をはさんで対向当接する一対のローラで構成され、版胴２とプレスローラ９とが接触する位置に向けて、印刷用紙Ｓの給送タイミングをとって印刷用紙Ｓを繰り出す。
【００６２】
給紙装置１５では、給紙トレイ１６が上昇して、給紙トレイ１６上の印刷用紙Ｓの最上位のものが繰り出しローラ１７に当接して給紙位置を占めると、図示しないセンサからの信号に基づいて繰り出しローラ１７が回転される。これにより、その印刷用紙Ｓが給紙方向に繰り出され、分離ローラ１８によって最上位の１枚の印刷用紙Ｓのみが分離されてレジストローラ１９に向け給送される。印刷用紙Ｓは、レジストローラ１９によってその先端を当接され、所定のタイミングがとられる。次いで、プレスローラ９が版胴２に押圧するタイミングに合わせて、マスタの画像位置と印刷用紙Ｓでの印刷開始位置とを整合させるタイミングを以て、印刷用紙Ｓは版胴２とプレスローラ９との間に向け給送される。そして、上記した周知の印刷動作によって、印刷画像が得られる。
【００６３】
版胴２の右側上方には、本発明の要旨に係る製版書込み装置２０が配置されている。
図１および図２において、製版書込み装置２０は、後述する、マスタ保持ユニット２１、プラテン圧制御部５５および裁断部７０から主に構成されている。以下、マスタ保持ユニット２１、プラテン圧制御部５５および裁断部７０廻りの構成について順次説明する。
【００６４】
マスタ保持ユニット２１は、図３および図４に詳しく示すように、後述する、ロール受台２７、左右一対のロールフランジ２５ａ，２５ｂ、ガイド板３５および引き出しローラ４０から主に構成されている。
【００６５】
マスタ保持ユニット２１は、マスタ２２がロール状に巻かれたマスタロール２３からマスタ２２を繰り出し可能に貯容するマスタ貯容手段としてのロールフランジ対２５ａ，２５ｂを備えている。マスタ保持ユニット２１は、製版書込み装置２０の本体内に挿入された製版挿入位置（図１に示した位置）と、この製版挿入位置から外れた、マスタロール２３の着脱を行うロール着脱位置（図２に示した位置）との間で、後述する案内手段を介して図中矢印方向Ｆ，Ｒに摺動自在となっている。ここで、ロール着脱位置とは、製版書込み装置２０を内蔵している孔版印刷装置１から外方へ摺動した位置も含まれる。それ故に、製版書込み装置２０からのマスタ保持ユニット２１の挿脱は、孔版印刷装置１の上部に位置する原稿読み取り部をスライドさせるようなことなく行なえるので、従来の製版装置を用いる印刷装置と違って、構造が簡略化でき、軽量化、小型化およびコスト低減化が可能になっている。
【００６６】
図２において、符号ＭＲは、マスタロール２３から繰り出されたマスタ２２を搬送するためのマスタ搬送路を示す。図３ないし図５において、符号ＭＢは、マスタロール２３の軸方向と平行な方向でもあるマスタ幅方向を示す。
【００６７】
図８に示すように、マスタロール２３の軸方向には、マスタ２２の幅と同じ長さに形成されたパイプ状の芯管２４が設けられている。マスタロール２３は、芯管２４の周りにマスタ２２が巻き付けられてロール状に形成されている。マスタロール２３の軸方向の両方の端面ｔは、マスタロール２３における芯管２４の軸方向両端と同じ位置になっている。芯管２４は、例えば合成樹脂や紙管でできている。マスタ２２は、光透過性を有する１〜２μｍ程度の薄い熱可塑性樹脂フィルムに対して和紙繊維あるいは合成繊維、もしくはこれら両材料を混抄したものからなる多孔性支持体を貼り付けてラミネート構造としたものが用いられ、サーマルヘッド等の発熱素子によって加熱穿孔されるものである。上記熱可塑性樹脂フィルムは、例えばポリエステル等でできている。
【００６８】
マスタ２２の厚さは、従来から使用されているマスタの厚さ４０〜６０μｍの約１／２程度となっていて、本実施例１では３〜３０μｍのものを用いることができるようになっている。それ故に、マスタロール２３の外径は、従来のそれに比べて著しく小さくコンパクトになっていて、装置の小型化に寄与している。また、マスタ２２の厚さが、従来のマスタの厚さに比べて非常に薄いものを用いることができるので、いわゆる繊維目を低減させることによる画質の向上、加熱穿孔時間を速めることによる高速製版を可能としている。
【００６９】
マスタロール２３における芯管２４の周りに巻き付けられているマスタ２２の部分のうちで、その使用限界に達した位置から最終端部までの巻装方向に沿った範囲に低反射率部２３Ａが形成されている。低反射率部２３Ａは、例えば芯管２４軸方向の略中央部に相当する部分に巻き付けられたマスタ２２の最終端部分に塗布された黒色塗装で形成されている。なお、低反射率部２３Ａは、後述するマスタ検知手段によりマスタ２２を透過して検知され得るのであれば、上記のものに限らず、例えば芯管２４軸方向の略中央部に塗布された黒色塗装で形成されたものであってもよい。
【００７０】
ロール受台２７は、略筐体状をなしていて、合成樹脂で一体的に形成されている。ロール受台２７の上方には、マスタロール２３を着脱する際の作業性を良くするためにやや間口の広い開口が形成されており、この開口に連通してマスタロール２３を収納する断面略Ｕ字状の収納部２７ｅが形成されている。
【００７１】
ロール受台２７の底壁の略中央には、図４にのみ示すように、マスタ保持ユニット２１が製版挿入位置を占めたときに後述するマスタ検知手段を臨ませるための開口部２７ｄが明けられている。ロール受台２７の後外壁中央には、把手２７ｂが一体的に取り付けられている。この把手２７ｂを持って後述する案内手段を介して矢印方向Ｆに押し出すことにより、マスタ保持ユニット２１を図１に示す製版挿入位置に移動させることができ、矢印方向Ｒに引き出すことにより製版書込み装置２０の外部に引き出された、図２に示すロール着脱位置に選択的に移動させることができる。ロール受台２７の両側壁下部には、断面が上向きに開口したチャンネル状をなすスライドレール２７ｃがそれぞれ一体的に形成されており、スライドレール２７ｃには板金製の補強が適宜施されている。
【００７２】
図３に示すように、製版書込み装置２０の本体側（以下、単に「装置本体側」というときがある）には、左右一対の板金製の側板７８が互いに平行に配設されている。これら両側板７８の下部には、図３等に示すように、ロール受台２７の各スライドレール２７ｃと係合することにより、製版挿入位置とロール着脱位置との間でマスタ保持ユニット２１を摺動自在に案内する案内手段としての左右一対のガイドレール７９が形成されている。これらガイドレール７９は、内側に開口したチャンネル状をなす部分で各スライドレール２７ｃとそれぞれ係合するようになっている。
【００７３】
マスタ保持ユニット２１が製版挿入位置を占めたとき、ロール受台２７のスライドレール２７ｃの近傍には、側板７８に配設されたロック手段と係合する被ロック手段（共に図示せず）が配設されている。上記被ロック手段は、図示しないレバーリンク機構等を介して把手２７ｂに連結されていて、把手２７ｂを握る等の操作を行うことにより、上記ロック手段と被ロック手段との係合状態を解除することができるようになっている。
【００７４】
ロールフランジ対２５ａ，２５ｂは、ロール受台２７の両側部に配設されている。ロールフランジ対２５ａ，２５ｂには、同一サイズの、マスタロール２３の芯管２４内に進退自在な円錐面部２５ｃと、マスタロール２３の軸方向の端面に選択的に接離する摩擦抵抗部２５ｄとがそれぞれ一体的に形成されている。円錐面部２５ｃは円錐台状をなし、摩擦抵抗部２５ｄはリング帯状をなしている。ロールフランジ２５ｂの円錐面部２５ｃは、ロールフランジ２５ａおよび後述するロール位置決め案内手段を介して、マスタロール２３の芯管２４内に嵌入して、マスタ搬送方向Ｔ、マスタ幅方向ＭＢおよび高さ方向の３次元方向にマスタロール２３の位置決めをする機能を有する。ロールフランジ対２５ａ，２５ｂの円錐面部２５ｃ基部の外径は、芯管２４の内径よりも僅かに小さく形成されている。ロールフランジ対２５ａ，２５ｂは、例えばアクリロニトリルブタジエンスチレン樹脂（ＡＢＳ樹脂）、ポリカーボネート樹脂（ＰＣ）等の合成樹脂でできている。摩擦抵抗部２５ｄは、マスタロール２３が繰り出し方向に回転する時に、摩擦を起こさせてマスタロール２３からのマスタ２２の繰り出しに対して抵抗する力を生じさせるようになっている。上記抵抗力は、マスタロール２３が繰り出し方向に回転されたとき、その回転方向に逆らう力となり、マスタロール２３から繰り出されるマスタ２２に張力（バックテンション）を生じさせるので、マスタ２２が繰り出される際に生じやすい弛みをなくすことができる利点がある。摩擦抵抗部２５ｄは、上記抵抗力を確実に生じさせるために、例えば、ゴム板等を貼り付けたものであってもよい。
【００７５】
図において左側のロールフランジ２５ａは、ロール受台２７の一側内壁に固設されており、図において右側のロールフランジ２５ｂは、ロール受台２７とは別の部材であるフランジ支持板２６の内壁に固設されている。このロールフランジ２５ｂは、マスタ保持ユニット２１が製版挿入位置を占めたとき、マスタロール２３の軸方向端面に当接可能であってマスタロール２３の一方の端面ｔの位置決めをする位置決め位置（図４に仮想線で示す位置）と、マスタ保持ユニット２１がロール着脱位置を占めたとき、マスタロール２３の一方の端面ｔから離間する非位置決め位置（図４に実線で示す位置）との間で移動自在なロール位置決め手段としての機能を有する。
【００７６】
図３ないし図５において、符号３０はロール位置決め案内手段を示す。ロール位置決め案内手段３０は、ロール位置決め手段としてのロールフランジ２５ｂを、位置決め位置と非位置決め位置との間で移動自在に案内する機能を有する。ロール位置決め案内手段３０は、側板７８の傾斜案内部７８ａおよびスライド案内部７８ｂ、フランジ支持板２６の傾斜部２６ａ、スライド部２６ｂ、スライド片２６ｃおよび溝２６ｄ、支持板案内部２７ａ、支持板案内部２７ａの２個の段付きピン２９Ａおよび圧縮バネ２８から主に構成されている。
【００７７】
装置本体側における図において右側の側板７８は、図４および図５に示すように、その後端部が外側に向けて折り曲げられて形成された傾斜案内部７８ａと、図において左側の側板７８（図３および図６等に示す）と平行に形成されたスライド案内部７８ｂとからなる。
【００７８】
フランジ支持板２６は鈑金でできている。フランジ支持板２６は、矢印方向Ｆの前端部が内側に向けて折り曲げられて形成された傾斜部２６ａと、側板７８のスライド案内部７８ｂと平行に形成されたスライド部２６ｂと、図５のみに示すように、ロールフランジ２５ｂの下部においてフランジ支持板２６の内壁に直交して一体的に形成されたスライド片２６ｃとからなる。スライド片２６ｃには、マスタ幅方向ＭＢに対して平行な溝２６ｄが形成されている。
【００７９】
ロール受台２７の下方には、図５のみに示すように、ロール受台２７の底壁部から垂直に延びてさらに図において右側に直角に折り曲げられた平面部でスライド片２６ｃの裏面に摺接する支持板案内部２７ａが上記底壁部に一体的に形成されている。支持板案内部２７ａは鈑金でできている。支持板案内部２７ａの上部には、スライド片２６ｃの溝２６ｄに緩く嵌入する２個の段付きピン２９Ａが植設されている。
【００８０】
支持板案内部２７ａの垂直壁と、支持板案内部２７ａの下方におけるスライド部２６ｂの内壁との間には、ロールフランジ２５ｂをしてマスタロール２３の一方の端面ｔから離間する方向にフランジ支持板２６を付勢する圧縮バネ２８が設けられている。
【００８１】
なお、図において右側のみに設けられたロール位置決め案内手段３０に限らず、左側のロールフランジ２５ａ側にもロール位置決め案内手段３０を設けるとともに、ロールフランジ２５ａを、位置決め位置と非位置決め位置との間で移動自在にロールフランジ２５ｂと同様に構成しても勿論よい。
【００８２】
図３に示すように、ロール受台２７における前側上部の左右端部には、ロール受台２７に一体的に形成された一対のガイド板支持部２７ｆがそれぞれ形成されている。これら一対のガイド板支持部２７ｆには、マスタロール２３から繰り出されるマスタ２２の先端部を載置するマスタ案内手段としてのガイド板３５が揺動自在に配設されている。ガイド板３５は、平面視で略長方形状をなしていて、鈑金でできている。ガイド板３５の基端部は、一対のガイド板軸３６を介して一対のガイド板支持部２７ｆに回動自在に支持されている。ガイド板３５の自由端側は、図２のみに示すように、ガイド板支持部２７ｆに一体的に形成されたストッパ３７で下方への揺動範囲が規制されていて、ガイド板３５の自重で揺動自在となっている。
【００８３】
ロール受台２７における各ガイド板支持部２７ｆの下部外壁には、２個の段付きピン２９が上下方向に所定の間隔をおいてそれぞれ植設されている。ガイド板３５の上方およびロール受台２７の上記両下部外壁に亘り、細長い板状のローラアーム４３が配設されている。ローラアーム４３の両側部の下部には、上下方向に長い案内溝４３ｂがそれぞれ形成されていて、これらの案内溝４３ｂ内に２個の段付きピン２９がそれぞれ緩く嵌入している。ローラアーム４３は、鈑金でできていて、ローラアーム４３の上部には把手部４３ａが上方に直角に折り曲げ形成されている。それ故に、ローラアーム４３は、左右一対の案内溝４３ｂの範囲内で２個の段付きピン２９により昇降自在に支持・案内されている。
【００８４】
ローラアーム４３の両上側部の間には、マスタ２２の先端部を介してガイド板３５に接触しマスタ２２を搬送するマスタ搬送手段としての引き出しローラ４０が配設されている。引き出しローラ４０は、ローラ軸４１と一体的に形成されていて、ローラアーム４３の両上側部の間にローラ軸４１を介して回転自在に支持されている。図３において右側のローラ軸４１は、ローラアーム４３の上側部から突出していて、ローラ軸４１の端部にはローラギア４２が固設されている。引き出しローラ４０は、例えば発泡クロロプレンゴムや発泡ポリウレタン等のスポンジ状のローラからなる。
【００８５】
上記の構造のとおり、引き出しローラ４０は、ローラアーム４３および引き出しローラ４０の各自重により、段付きピン２９および案内溝４３ｂの上記支持・案内動作を介して、ガイド板３５の上記した揺動動作に連動しつつガイド板３５上面に接触している。そして、マスタ保持ユニット２１がロール着脱位置を占めたとき、すなわちマスタ保持ユニット２１が装置本体側からロール着脱位置に引き出されたとき、オペレータは、ローラアーム４３の把手部４３ａを持ってローラアーム４３および引き出しローラ４０を上方に持ち上げつつ、マスタロール２３からマスタ２２の先端部を引き出し、マスタ２２の先端部をガイド板３５上面に載置することができる。それ故に、引き出しローラ４０は、マスタ保持ユニット２１がロール着脱位置を占めたとき、ガイド板３５に対して接離可能に構成されている。
【００８６】
図６にのみ示すように、符号４５は、引き出しローラ４０を選択的に回転させるマスタ搬送駆動手段としての駆動モータを示す。駆動モータ４５は、図において右側の側板７８に一体的に設けられた不動部材に取り付けられている。駆動モータ４５は、ステッピングモータからなる。駆動モータ４５の出力軸４５ａ端部には、ローラギア４２と選択的に噛合する駆動ギア４６およびプラテンローラ６５に回転駆動力を伝達する小径駆動ギア４６Ａがそれぞれ固設されている。
【００８７】
装置本体側の両側板７８には、マスタ保持ユニット２１が製版装着位置を占めたとき、引き出しローラ４０のローラ軸４１の両端部を案内し支持するガイド溝７６がそれぞれ形成されている。ガイド溝７６の開口端手前側は、ローラ軸４１の両端部を案内しやすいように広口状に形成されている。ガイド溝７６の上方近傍における各側板７８の外壁には、ローラ軸４１の各端部に接触・保持する板バネ７７がそれぞれ固設されている。板バネ７７は、図に示すような特有の形状に折り曲げられ、ガイド溝７６の終端部においてローラ軸４１を回転可能に、かつ、クリック的に保持する機能を有する。
【００８８】
上記した構造のとおり、マスタ保持ユニット２１が製版装着位置を占めたとき、駆動モータ４５からの駆動力が、駆動ギア４６、ローラギア４２およびローラ軸４１を介して引き出しローラ４０に伝達され、マスタ保持ユニット２１がロール着脱位置を占めたとき、駆動モータ４５からの駆動力が引き出しローラ４０に非伝達されるようになっている。
【００８９】
プラテン圧制御部５５は、図１および図２において、マスタ搬送路ＭＲにおけるマスタ保持ユニット２１の下流側に配置されている。
図２および図７において、プラテン圧制御部５５は、プラテンローラ６５とサーマルヘッド５６とプラテン圧制御手段５４とを備えている。
【００９０】
プラテンローラ６５は、引き出しローラ４０の回転により搬送されるマスタ２２もしくはサーマルヘッド５６により加熱穿孔された製版済みのマスタ２２を、サーマルヘッド５６との間に押圧しながら回転しマスタ搬送路ＭＲの下流側に搬送する周知の機能を有する。プラテンローラ６５は、例えばシリコンゴム等からできていて、マスタ２２に対して引き出しローラ４０の摩擦係数よりも大きい摩擦係数を有している。
【００９１】
図６にのみ示すように、符号６９は、駆動モータ４５の回転駆動力をプラテンローラ６５（同図では省略されている）に伝達する駆動力伝達機構を示す。駆動力伝達機構６９は、上記した小径駆動ギア４６Ａと、図において右側の側板７８に回転自在に支持された第１アイドラギア軸４７ａ端部に一体的に設けられた、小径駆動ギア４６Ａと常時噛合する第１アイドラギア４７Ａと、同側板７８に回転自在に支持された第２アイドラギア軸４７ｂ端部に一体的に設けられた、第１アイドラギア４７Ａと常時噛合する第２アイドラギア４７Ｂと、同側板７８に回転自在に支持されたプラテンローラ６５のプラテンローラ軸６５ａ端部に一体的に設けられた、第２アイドラギア４７Ｂと常時噛合するプラテンローラギア６６とから主に構成されている。この駆動力伝達機構６９により、マスタ搬送駆動手段としての駆動モータ４５は、プラテンローラ６５を回転させるプラテンローラ駆動手段を兼ねている。
【００９２】
プラテンローラ６５は、駆動力伝達機構６９を介して、引き出しローラ４０の周速度よりも僅かに速い周速度で回転するように予め設定されている。これらの周速度の設定は、例えば各ギア間のギア比（変速比）および引き出しローラ４０とプラテンローラ６５との外径の大きさを調整することによりなされている。それ故に、マスタロール２３、引き出しローラ４０およびプラテンローラ６５間に位置するマスタ２２に所定範囲の張力が付与されるようになっている。また、プラテンローラ６５のプラテンローラ軸６５ａ端部には、プラテンローラプーリ６７が固設されている。
【００９３】
サーマルヘッド５６は、プラテンローラ軸６５ａ方向に相当する主走査方向に沿って配列された複数の発熱素子を有し、その発熱素子に対する選択的な通電制御によって発熱素子を選択的に発熱させることにより発熱位置に対応するマスタ２２の箇所を加熱溶融させて穿孔する製版手段としての周知の機能を有する。これにより、サーマルヘッド５６は、マスタロール２３から繰り出され引き出しローラ４０の回転により搬送されるマスタ２２に対して選択的に加熱穿孔する。サーマルヘッド５６は、後述するプラテン圧制御手段５４により、プラテンローラ６５に対して接離自在になっている。
【００９４】
プラテン圧制御手段５４は、サーマルヘッド５６とプラテンローラ６５との接離動作を行わせる機能を有する。プラテン圧制御手段５４は、ヘッドベース５７のガイド取付部５７ａ、一対の引張バネ６２、偏心カム５９、カム軸５９ａ、カムギア６１、モータギア６０およびベース駆動モータ５８から主に構成される。
【００９５】
サーマルヘッド５６は、ヘッドベース５７の揺動端側に載置固定されている。ヘッドベース５７は、その両側壁に形成されたベース軸孔５７ｂに挿通され両側板７８によって支持されているベース軸５７ｃを支点として揺動可能に支持されている。ヘッドベース５７は、例えば鈑金でできていて、断面が下向きに開口した幅広のチャンネル状をなしている。ヘッドベース５７は、ヘッドベース５７の揺動端側に延びてガイド取付部５７ａが形成されている。ヘッドベース５７およびガイド取付部５７ａは、サーマルヘッド５６を揺動自在に支持する被揺動部材の機能を有する。ガイド取付部５７ａ上には、このガイド取付部５７ａに選択的に接触して上記被揺動部材としてのヘッドベース５７およびガイド取付部５７ａを揺動させる揺動部材としての偏心カム５９が配置されている。偏心カム５９は、カム軸５９ａに一体的に取り付けられていて、その軸端にはカムギア６１が固設されている。
【００９６】
一方、装置本体側の側板７８には、その出力軸に固設されカムギア６１と常時噛合するモータギア６０を有するベース駆動モータ５８が固設されている。それ故に、ベース駆動モータ５８が回転駆動されることで偏心カム５９が回転する。ヘッドベース５７は、図７にのみ示されている、ヘッドベース５７の揺動端側のガイド取付部５７ａと側板７８上部とに掛けられている一対の引張バネ６２によって、図２および図７等において反時計回り方向に付勢されている。偏心カム５９は、その反時計回り方向に回転する習性を有するヘッドベース５７のガイド取付部５７ａ上面に選択的に接触するようになっている。すなわち、プラテンローラ６５からサーマルヘッド５６が離間しているときにのみ、偏心カム５９の大径部がヘッドベース５７のガイド取付部５７ａに接触しており、サーマルヘッド５６とプラテンローラ６５とがマスタ２２を介して接触しているときには、偏心カム５９の小径部がヘッドベース５７のガイド取付部５７ａに対向しているだけでヘッドベース５７のガイド取付部５７ａから離間している。それ故に、サーマルヘッド５６とプラテンローラ６５とがマスタ２２を介して接触しているとき、偏心カム５９の小径部がヘッドベース５７のガイド取付部５７ａから離間しているため、マスタ２２を介してサーマルヘッド５６とプラテンローラ６５との押圧部に作用する挾持圧は、一対の引張バネ６２の付勢力のみにより高精度に付与されることとなる。
【００９７】
サーマルヘッド５６の揺動端側には、例えばステンレススチール製の鈑金で形成されたヘッド案内部材５６ｃが固設されている。サーマルヘッド５６とプラテンローラ６５との押圧部近傍とガイド板３５との間のマスタ搬送路ＭＲ上には、マスタ保持ユニット２１が図１に示す製版挿入位置を占めたとき、ガイド板３５に係合して引き出しローラ４０によって搬送されるマスタ２２の先端を上記押圧部近傍に位置決め導入するマスタ導入手段としてのガイド部材５１が設けられている。より詳細に言えば、ヘッド案内部材５６ｃの揺動端上面に近接する位置とガイド取付部５７ａの揺動端上には、ガイド取付部５７ａの揺動端部に固定され偏心カム５９を覆うガイド部材５１が設けられている。ガイド部材５１は、例えば鈑金でできている。ガイド部材５１は、ガイド取付部５７ａに固設されている揺動端側がマスタ搬送方向Ｔの下流側に向かうにつれて上方に延びて徐々に湾曲していて、マスタ保持ユニット２１が製版挿入位置を占めるべく矢印方向Ｆに押し込まれたときに、ガイド板３５の自由端裏面に摺接して徐々にガイド板３５の自由端部を上方に押し上げつつ上記押圧部近傍に位置決め導入するようになっている。
【００９８】
サーマルヘッド５６とプラテンローラ６５とは、これら両部材間での接離動作を行なって、引き出しローラ４０の回転により搬送されるマスタ２２へ挟持圧（以下、「プラテン圧」というときがある）を作用させたり解除させたりする。偏心カム５９は、上記揺動部材としてプラテン圧を解除する手段をなすものであり、図２に示すような非製版時には、その大径部をヘッドベース５７の上面に圧接させている。これにより、ヘッドベース５７に固定されているサーマルヘッド５６は、マスタ搬送路ＭＲから離されるので、マスタ２２へのプラテン圧が解除される。
【００９９】
サーマルヘッド５６がマスタ２２を介してプラテンローラ６５に当接したときに、プラテンローラ６５は、駆動力伝達機構６９を介して駆動モータ４５により、引き出しローラ４０によって搬送されてきたマスタ２２をマスタ搬送路ＭＲの下流側に搬送する方向に回転される。
【０１００】
上記した構成を備えたプラテン圧制御部５５では、マスタロール２３から繰り出されるマスタ２２を製版する時、偏心カム５９が一対の引張バネ６２の付勢力に抗して回転されることによってその小径部がヘッドベース５７のガイド取付部５７ａ上面に隙間を保って対向され、一対の引張バネ６２の付勢力によってヘッドベース５７の揺動端はベース軸５７ｃを中心として反時計回り方向に揺動される。従って、サーマルヘッド５６は、図１および図２において反時計回り方向に揺動されて、プラテンローラ６５に所定の接触圧（プラテン圧）をもって当接する。これにより、マスタ２２は、サーマルヘッド５６およびプラテンローラ６５によってプラテン圧が作用した状態で搬送される。マスタ２２は、搬送される過程で、サーマルヘッド５６での選択的な発熱により主走査方向および副走査方向で加熱穿孔される。この場合の主走査方向は、プラテンローラ６５のプラテンローラ軸６５ａと平行な方向（マスタ幅方向ＭＢでもある）であり、副走査方向は主走査方向と直交する方向でマスタ搬送方向Ｔに相当している。
【０１０１】
一対の引張バネ６２の付勢力、プラテンローラ６５へ伝達される駆動モータ４５の回転駆動力およびプラテンローラ６５の摩擦係数等で決められるプラテンローラ６５によるマスタ２２の搬送力は、引き出しローラ４０によるマスタ２２の搬送力よりもやや大きく予め設定されている。
【０１０２】
この実施の形態１では、プラテンローラ６５に対してサーマルヘッド５６を当接させる方向に揺動させているが、これとは逆に、プラテンローラ６５を回転自在かつ変位可能に構成するとともに、駆動モータ４５の回転駆動力をプラテンローラ６５に伝達する機構にテンションプーリおよび無端ベルト等を用いることにより変位可能に構成して、プラテン圧制御手段５４と類似する手段によりサーマルヘッド５６に対してプラテンローラ６５を当接させる方向に揺動させることも勿論可能である。このように、サーマルヘッド５６に対してプラテンローラ６５を当接させる方向に揺動させるように構成した場合には、マスタ保持ユニット２１が製版挿入位置を占めたとき、プラテンローラ６５の上記押圧部にガイド板３５の自由端を近接させるように構成してもよい。
【０１０３】
要するに、マスタ案内手段の配設状態としては、マスタ保持ユニット２１が製版挿入位置を占めたとき、ガイド板３５を、サーマルヘッド５６またはプラテンローラ６５に近接もしくは当接するように構成したものであってもよい。
【０１０４】
また、偏心カム５９は、上記した製版時に加えて、マスタロール２３からのマスタ２２の繰り出し時に、マスタ２２が移動してきた時点で、短時間の間だけ連続回転することもできる。これにより、サーマルヘッド５６は、プラテンローラ６５との間でマスタ２２を挟んで、プラテンローラ６５に対して接離を繰り返すことができる。このようなサーマルヘッド５６とプラテンローラ６５との接離の繰返し動作に連動してプラテンローラ６５をマスタ搬送方向Ｔに回転させることによって、プラテン圧制御部５５に位置するマスタ２２は、マスタ搬送方向Ｔの下流側に断続的に繰り返し引っ張られる。その結果、ロールフランジ対２５ａ，２５ｂの摩擦抵抗部２５ｄと接触することによりマスタロール２３の両端面に生じている摩擦力を繰り出しの際の抵抗力にして、マスタロール２３から繰り出されたマスタ２２部分に生じているシワ等を伸ばしそのシワ等を除去することができるようになっている。
【０１０５】
マスタ２２の非製版時には、偏心カム５９が回転してその大径部がヘッドベース５７の揺動端上面に圧接される。これにより、サーマルヘッド５６はプラテンローラ６５から離され、マスタ２２に対するプラテン圧が解除される。
【０１０６】
図１および図２において、プラテン圧制御部５５におけるマスタ搬送路ＭＲの下流側には、裁断部７０が配置されている。裁断部７０は、プラテンローラ６５によって搬送される製版済みのマスタ２２もしくはマスタ２２の後端部を切断するための裁断手段としてのロータリカッタ７１と、ロータリカッタ７１をマスタ幅方向ＭＢに往復案内する案内レール７１Ａとから主に構成される。ロータリカッタ７１は、回転しながらマスタ幅方向ＭＢに移動可能な周知の構成を有する。ロータリカッタ７１は、製版済みのマスタ２２もしくはマスタ２２の後端部を切断するときのみマスタ搬送路ＭＲを回転しながら横切るようになっており、通常、マスタ幅方向ＭＢにおける案内レール７１Ａの片側端に待機していて、マスタ２２の回転に支障とならないようになっていて、またロータリカッタ７１は、カッタ駆動モータ７１Ｂにより、回転・移動されるようになっている。ロータリカッタ７１および案内レール７１Ａを備えた裁断部７０は、例えば特開平７−１０１１３５号公報の図１等と同様の周知の構成を有している。
【０１０７】
裁断手段は、ロータリカッタ７１に限らず、固定刃と昇降刃等を備えたいわゆるギロチンカッタ等であってもよい。
図１および図２において、裁断部７０におけるマスタ搬送路ＭＲの下流側には、一対のローラで構成されている第１搬送ローラ対７２、第１ガイド７３、第２搬送ローラ対７４および製版済みのマスタ２２もしくはマスタ２２を版胴２のクランパ４に向け案内するための第２ガイド７５がこの順にそれぞれ配置されている。
【０１０８】
第１搬送ローラ対７２の上方のローラ７２は、軸７２ａに一体的に形成された駆動ローラであり、下方のローラ７２は、軸７２ｂに一体的に形成された従動ローラであり、ともに両側板間７８に回転自在に支持されている。図６における右側の側板７８側に配設された第１搬送ローラ対７２の上方の軸７２ａ（図６には不図示）には、図示を省略したローラプーリが固設されていて、このローラプーリとプラテンローラ６５のプラテンローラプーリ６７との間には、無端ベルト６８が掛け渡されている。上記ローラプーリの外側における第１搬送ローラ対７２の上方の軸７２ａ（図６には不図示）には、図示を省略した第１ローラプーリが固設されている。同様にして、第２搬送ローラ対７４の上方のローラ７４は、軸７４ａに一体的に形成された駆動ローラであり、下方のローラ７４は、軸７４ｂに一体的に形成された従動ローラであり、ともに両側板間７８に回転自在に支持されている。図６における右側の側板７８側に配設された第２搬送ローラ対７４の上方の軸７４ａ（図６には不図示）には、図示を省略した第２ローラプーリが固設されていて、上記した第１ローラプーリと第２ローラプーリとの間には、無端ベルト（ともに不図示）が掛け渡されている。第１、第２搬送ローラ対７２，７４は、例えばゴムローラからなる。
【０１０９】
上記したように、それぞれ図示を省略した、第１、第２ローラプーリ、上記無端ベルト、および上記ローラプーリ、並びにプラテンローラプーリ６７、無端ベルト６８および駆動力伝達機構６９は、マスタ搬送駆動手段としての駆動モータ４５の回転駆動力を第２搬送ローラ対７４に伝達する第２回転力伝達機構を構成している。また上記第２回転力伝達機構から上記第１、第２ローラプーリおよび上記無端ベルトを除去した機構は、マスタ搬送駆動手段としての駆動モータ４５の回転駆動力を第１搬送ローラ対７２に伝達する第１回転力伝達機構を構成している。従って、マスタ搬送駆動手段としての駆動モータ４５は、第１搬送ローラ対７２や第２搬送ローラ対７４を回転させる搬送ローラ駆動手段を兼ねている。
【０１１０】
第２搬送ローラ対７４は、上記第２回転力伝達機構を介して、第１搬送ローラ対７２の周速度よりも僅かに速い周速度で、また第１搬送ローラ対７２は、上記第１回転力伝達機構を介して、プラテンローラ６５の周速度よりも僅かに速い周速度で回転するようにそれぞれ予め設定されている。
【０１１１】
また、上記したプラテンローラ６５によるマスタの搬送力は、第１搬送ローラ対７２によるマスタ２２の搬送力や第２搬送ローラ対７４によるマスタ２２の搬送力よりもやや大きく予め設定されている。それ故に、プラテンローラ６５と第１搬送ローラ対７２との間、および第１搬送ローラ対７２と第２搬送ローラ対７４との間に位置するマスタ２２もしくは製版済みのマスタ２２には、所定範囲の張力がそれぞれ付与されるようになっている。これらの周速度の設定は、例えばプラテンローラプーリ６７および上記各ローラプーリおよびプラテンローラ６５と第１搬送ローラ対７２と第２搬送ローラ対７４との各外径の大きさ等を調整することによりなされている。
【０１１２】
上記したように、引き出しローラ４０、プラテンローラ６５および第１、第２搬送ローラ対７２，７４の各周速度は、第２搬送ローラ対７４＞第１搬送ローラ対７２＞プラテンローラ６５＞引き出しローラ４０の順に僅かに速く設定されていて、これらの部品間に位置するマスタ２２もしくは製版済みのマスタ２２に所定範囲の張力が付与されるようになっている。それ故に、この実施の形態１によれば、マスタ搬送駆動手段を１個のみで、すなわちステッピングモータからなる駆動モータ４５のみで構成し得たので、よりコンパクトな、かつ、低コストな装置を提供することができる利点がある。
【０１１３】
第１ガイド７３は、製版済みのマスタ２２もしくはマスタ２２を第２搬送ローラ対７４の押圧部に案内する機能を有し、第２ガイド７５は、製版済みのマスタ２２もしくはマスタ２２を版胴２のクランパ４に向け案内する機能を有する。
【０１１４】
上記した製版書込み装置２０における裁断部７０以降の構成により、製版済みのマスタ２２もしくはマスタ２２の先端部は、裁断部７０のロータリカッタ７１により必要長さに裁断され、給版位置で待機している版胴２における拡開したクランパ４の把持部材４Ａにより先端を把持固定されるようになっている。
【０１１５】
プラテンローラ６５、第１搬送ローラ対７２および第２搬送ローラ対７４の駆動方式は、駆動力伝達機構６９、上記第１、第２回転力伝達機構を介して駆動するものに限らず、上記利点を望まなくてもよいのであれば、次のようなものであってもよい。例えば、上記駆動力伝達機構６９を除去するとともに、プラテンローラ６５を回転させるプラテンローラ駆動モータを配設したり、および／または第１、第２回転力伝達機構を除去するとともに、第１搬送ローラ対７２および／または第２搬送ローラ対７４を回転させる搬送ローラ駆動モータを配設したりしてもよい。また、駆動力伝達機構６９は、これに限らず、ギアとベルトおよびプーリとの組合わせにしたものであってもよい。これと同様に、上記第１、第２回転力伝達機構は、これらに限らず、ギア同士の伝達にしたり、あるいはギアとベルトおよびプーリとの組合わせにしたものであってもよい。
【０１１６】
上記したように、マスタ保持ユニット２１が製版挿入位置を占めたときの製版書込み装置２０におけるマスタ保持ユニット２１の最外端部から第２ガイド７５に至るマスタ搬送路ＭＲの全長は、従来の製版書込み装置の約２／３程度となっていて、装置の大幅なコンパクト化が図られている。
【０１１７】
図１において、孔版印刷装置１の上部には、図示を省略した原稿読み取り部が設置されている。
原稿読み取り部は、コンタクトガラスを用いた原稿走査部を備えており、原稿走査部に配設された光源からの光を、コンタクトガラス上に載置された原稿に照射し、原稿からの反射光を、ミラーおよび結像レンズを含む結像光学系を介してＣＣＤ等からなる画像センサに入射させて画像情報を取り込むようになっている。上記画像情報は、後で詳細を説明する制御部に出力され、製版書込み装置２０での穿孔処理のためのデータとして用いられる。また、原稿読み取り部の上部には、後述する操作部を備えた操作パネルが配設されていて、オペレータは、上記操作パネルの操作部に対向した作業姿勢で、上記したようなマスタ保持ユニット２１の引き出しおよび押し込み操作、ならびにマスタロールの着脱およびマスタセット操作を行うことができる。
【０１１８】
図１において、版胴２を挾んで製版書込み装置２０と対向する位置には、排版部９０が配置されている。
排版部９０は、版胴２の近傍に位置し、使用済みのマスタ２２を挟持可能なベルトを互いに当接させた上部排版部材９１および下部排版部材９２と排版ボックス９４とを備えている。
【０１１９】
上部および下部排版部材９１，９２に備えられたベルトは、版胴２の近傍に位置するローラと排版ボックス９４側に位置するローラとにそれぞれ掛け渡されている。版胴２に巻装されていた使用済みのマスタ２２は、上記ベルトによって版胴２の外周面から剥離され該ベルトでさらに排版ボックス９４に向け移送される。上記排版部材のうち、下部排版部材９２は、版胴２が反時計方向に回転する排版時に版胴２の外周面に対して接近することができるようになっており、接近した際には、使用済みのマスタ２２の後端を受入れて排版ボックス９４に向け移送する。
【０１２０】
排版ボックス９４の上部には、昇降自在の圧縮部材９３が設けられている。圧縮部材９３は、排版ボックス９４内に収容された使用済みのマスタ２２を圧縮して、次に廃棄されるマスタ２２の収容スペースを準備するようになっている。排版ボックス９４内が使用済みのマスタ２２によって満たされた場合には、孔版印刷装置１の外部に排版ボックス９４を取り出して排版ボックス９４内に収容された使用済みのマスタ２２が廃棄処分される。
【０１２１】
図１において、プレスローラ９と対向する版胴２の下方側であって、図中矢印で示す時計回り方向に回転する版胴２の下流側には、その先端部が版胴２の外周面に対して接近可能な剥離爪８０が設けられている。剥離爪８０は、版胴２上から印刷用紙Ｓを剥離し、剥離された印刷用紙Ｓが、排出搬送装置８１に向け排出される。
【０１２２】
排出搬送装置８１は、一対のローラ８２，８３に掛け渡された無端状の搬送ベルト８４を有していて印刷用紙Ｓの排紙部を構成している。版胴２の外周面から剥離された印刷用紙Ｓは、排出搬送装置８１の搬送ベルト８４上に移送され排紙トレイ８５に向けて搬送される。搬送ベルト８４上に移送された印刷用紙Ｓに対して印刷用紙Ｓを吸引するための吸引フアン８６が、搬送ベルト８４における印刷用紙Ｓの載置面下方に配置されている。また、排紙トレイ８５は、図示しない回転軸を基端に設けることによって印刷装置の側壁面に対して起倒可能に設ける場合もある。
【０１２３】
図９には、原稿読み取り部からの画像情報に基づいて製版書込み装置２０での穿孔製版処理制御および給版処理制御等を行なう制御手段としての制御部１００の構成が示されている。
【０１２４】
図９において、制御部１００は、原稿画像の読み取り工程から、製版・給版工程、印刷工程および排紙工程に亘る全般のシーケンス制御を行なうための基礎プログラムを記憶したＲＯＭ１０２、データを適宜登録しておくためのＲＡＭ１０３を有するマイクロコンピュータ（同図では、符号ＣＰＵで示してある）１０１によって構成されている。
【０１２５】
この実施の形態１の要旨部と関係する制御構成を中心として以下に述べる。図示しないＩ／Ｏ（入力／出力）インターフェースを介して、制御部１００の入力側には、上記した原稿読み取り部、マスタ検知手段としてのマスタ検知センサ３２、マスタセット検知手段としてのマスタセット検知センサ３３、先端検知手段としてのマスタ先端検知センサ６３および操作部６４がそれぞれ接続されている。一方、制御部１００の出力側には、引き出しローラ４０、プラテンローラ６５および第１、第２搬送ローラ対７２，７４をそれぞれ回転させるマスタ搬送駆動手段としての駆動モータ４５、プラテン圧制御部５５のベース駆動モータ５８、サーマルヘッド５６および裁断部７０のカッタ駆動モータ７１Ｂがそれぞれ接続されている。
【０１２６】
なお、制御部１００の入力側に接続されていて二点鎖線で囲んだ作動設定キー６４ａは、この実施の形態１では用いられない制御構成要素を示す。
【０１２７】
マスタ検知センサ３２は、図１、図２および図４に示すように、一対のガイドレール７９間に橋架された図示しない不動部材の中央部に設置されている。マスタ検知センサ３２は、発光部および受光部を具備した周知の反射型光学センサである。マスタ検知センサ３２は、マスタ保持ユニット２１の収納部２７ｅ内にマスタロール２３が装填されている場合に得られる反射光を検知することができるようになっている。マスタロール２３は、マスタ保持ユニット２１の収納部２７ｅ内に位置しているとき、マスタ検知センサ３２によって存在していることが検知される。
【０１２８】
このマスタ検知センサ３２は、反射型光学センサであることから、マスタロール２３が使用できる限界に達した場合を検知できる手段としても機能するようになっている。このため、マスタロール２３は、図８に示すマスタロール２３が消費されて使用限界に達した場合、それまでの反射率よりも低い低反射率部２３Ａに相当する黒色塗装部をマスタ検知センサ３２に対向させるので、マスタ検知センサ３２は、反射率が低下したことを知らせる信号を出力する。制御部１００では、マスタ検知センサ３２によって低反射率部２３Ａからの反射率に対応した信号が入力されると、マスタ２２の繰り出しを停止しなければならないことを判別する。またマスタロール２３がマスタ保持ユニット２１の収納部２７ｅ内に装填されていない場合にも、マスタ検知センサ３２は、反射率が低下したことを知らせる信号を出力する。
【０１２９】
マスタセット検知センサ３３は、図１および図２において、マスタ保持ユニット２１が製版書込み装置２０内に挿入され製版挿入位置を占めたことを検知するために設けられている。この実施の形態１では、マスタセット検知センサ３３は、装置本体側のガイドレール７９の下部壁に設けられていて、マスタ保持ユニット２１が製版挿入位置を占めたときにのみスライドレール２７ｃの先端下壁面と係合するマイクロスイッチが用いられている。マスタセット検知センサ３３は、マスタ保持ユニット２１が製版挿入位置に押し動かされたことを検知して、引き出しローラ４０等を回転させる駆動モータ４５の動作開始時期を検知し、その検知信号を制御部１００に出力する作動検知手段の機能を有する。
【０１３０】
マスタセット検知手段は、上記マスタセット検知センサ３３に限らず、マスタ保持ユニット２１のスライドレール２７ｃの先端下壁面に反射面を設けるとともに、マスタ保持ユニット２１の製版挿入位置に対応するガイドレール７９の下部壁面の位置に反射型光学センサおよびその入出射光の開口（図示せず）を設けたものであってもよい。
【０１３１】
マスタ先端検知センサ６３としては、図１および図２に示すように、マスタ搬送方向Ｔにおけるガイド部材５１の下流であって、マスタ搬送路ＭＲにおけるプラテンローラ６５の上流側に配置された第１のマスタ先端検知センサ６３Ａと、プラテンローラ６５と裁断部７０との間のマスタ搬送路ＭＲ上に配置された第２のマスタ先端検知センサ６３Ｂと、第１搬送ローラ対７２と第２搬送ローラ対７４との間のマスタ搬送路ＭＲ上に配置された第３のマスタ先端検知センサ６３Ｃとからなる。
【０１３２】
第１、第２、第３のマスタ先端検知センサ６３Ａ，６３Ｂ，６３Ｃは、いずれも反射型光学センサであって、発光部および受光部を具備した周知のものである。これら３つのマスタ先端検知センサ６３Ａ，６３Ｂ，６３Ｃのうち、第２のマスタ先端検知センサ６３Ｂは、マスタ２２の先端を検知した時点でプラテン圧制御部５５の駆動を行うための基準信号を出力する働きを持っている。また、第１、第３のマスタ先端検知センサ６３Ａ，６３Ｃは、マスタ２２の先端を検知した時点から所定時間（駆動モータ４５の所定ステップ数でもある）の間、マスタ２２の繰り出しを継続させるための基準信号を出力する働きを持っている。
【０１３３】
第１のマスタ先端検知センサ６３Ａからの信号が出力されたときに決められるマスタ２２の繰り出し量は、マスタ２２の先端がサーマルヘッド５６とプラテンローラ６５とによるマスタ２２の挟持動作が可能となる量、すなわちプラテン圧を付与することが可能な位置に達する量とされている。第３のマスタ先端検知センサ６３Ｃからの信号が出力されたときに決められるマスタ２２の繰り出し量は、マスタ２２の先端が版胴２のクランパ４に対向できる位置に達する量とされている。
【０１３４】
操作部６４には、図示しないが、製版開始スイッチ、印刷枚数指令用テンキー等が配置されている。製版開始スイッチは、新たな製版済みのマスタ２２を版胴２に巻装する場合に操作されるスイッチである。この製版開始スイッチが操作されると、マスタロール２３から引き出されガイド板３５と引き出しローラ４０との間に挾持されたマスタ２２の先端をプラテン圧制御部５５に向け自動的に繰り出して製版し、印刷用紙Ｓを１枚だけ通紙して版胴２の開孔部分からマスタ２２の穿孔部分にインキを滲出させる、いわゆる版付け動作が行われる。なお、連続的な印刷動作を開始させる場合には、上記製版開始スイッチとは別に設けられている印刷開始指令用スイッチが操作される。
【０１３５】
制御部１００では、マスタ検知センサ３２、マスタセット検知センサ３３からの検知信号が入力されない場合に、駆動モータ４５の駆動を停止させる。また、プラテン圧制御部５５では、偏心カム５９のベース駆動モータ５８に対し、偏心カム５９の大径部をヘッドベース５７におけるガイド取付部５７ａの揺動端部に対向・圧接させる状態が得られる方向に回転させるとともに、プラテンローラ６５の回転を停止させる。これによって、プラテン圧制御部５５では、サーマルヘッド５６とプラテンローラ６５とによるマスタ２２の挟持・押圧が解除されてマスタ２２に対する挟持・押圧しながらの搬送および加熱穿孔を不能にさせる。なお、この場合、上記プラテン圧が解除されてマスタ保持ユニット２１を製版書込み装置２０の外方に向け引き出し可能であることを知らせるためのＬＥＤ（発光ダイオード）等からなる報知手段を操作部６４に配設してもよい。この報知手段は、例えば、マスタ保持ユニット２１を製版書込み装置２０の外方に向け引き出し可能であるときに点滅し、マスタ保持ユニット２１が引き出し不可能であるとき点灯するように作動させてもよい。
【０１３６】
一方、制御部１００は、マスタ検知センサ３２、マスタセット検知センサ３３からの検知信号が入力されると、駆動モータ４５を駆動させて、マスタロール２３から引き出されガイド板３５と引き出しローラ４０との間に挾持されたマスタ２２の先端の搬送を可能とする状態を設定する。
【０１３７】
そして、繰り出されたマスタ２２の先端が第１のマスタ先端検知センサ６３Ａによって検知されると、制御部１００は、駆動モータ４５を所定ステップ（パルス）数継続して回転駆動させることにより、引き出しローラ４０を所定ステップ数に対応する回転数継続回転させる。駆動モータ４５の回転駆動が所定ステップ数継続されるとき、マスタ２２の先端は、プラテン圧制御部５５におけるサーマルヘッド５６とプラテンローラ６５とで挟持される位置に向けて移動される。
【０１３８】
このような動作とともに、制御部１００は、ヘッドベース５７におけるガイド取付部５７ａの揺動端部をプラテンローラ６５側に向け揺動させるために偏心カム５９におけるベース駆動モータ５８の回転制御を行ない、サーマルヘッド５６とプラテンローラ６５とによるマスタ２２への押圧力（プラテン圧）を作用させる状態を設定する。
【０１３９】
サーマルヘッド５６が、プラテンローラ６５に当接してマスタ２２に対する挟持力を作用させる状態が設定されると、プラテンローラ６５は、駆動モータ４５により回転されてサーマルヘッド５６と協働してマスタ２２を挟持しながら搬送できる状態とされる。
【０１４０】
そして、制御部１００は、サーマルヘッド５６とプラテンローラ６５とによりマスタ２２を押圧させた状態で、第２のマスタ先端検知センサ６３Ｂによりマスタ２２の先端検知信号が出力されるまで、さらに駆動モータ４５を回転駆動させてマスタ２２を搬送させる。
【０１４１】
第２のマスタ先端検知センサ６３Ｂによりマスタ２２の先端が検知され、第２のマスタ先端検知センサ６３Ｂから先端検知信号が出力されると、制御部１００は、ベース駆動モータ５８を回転駆動させることにより偏心カム５９を短時間の間、連続回転（通常少なくとも１回転以上）させ、マスタ２２を挟んでサーマルヘッド５６とプラテンローラ６５との接離動作を繰返し行なわせることで、プラテン圧の断続動作が行われる。
【０１４２】
上記プラテン圧の断続動作終了後、制御部１００は、サーマルヘッド５６とプラテンローラ６５とによりマスタ２２を押圧させた状態で、第３のマスタ先端検知センサ６３Ｃによりマスタ２２の先端検知信号が出力されるまで、さらに駆動モータ４５を駆動させてマスタ２２を搬送させる。
【０１４３】
第３のマスタ先端検知センサ６３Ｃによりマスタ２２の先端が検知され、第３のマスタ先端検知センサ６３Ｃから先端検知信号が出力されると、制御部１００は、駆動モータ４５を所定ステップ数回転駆動させることにより、引き出しローラ４０、プラテンローラ６５、第１搬送ローラ対７２および第２搬送ローラ対７４を所定ステップ数に対応する回転数回転させてマスタ２２の先端を、版胴２におけるクランパ４に対向する位置（図１に示す位置状態）に給送させる。この後に、制御部１００は、駆動モータ４５を停止させ、製版待機状態とする。この製版待機状態とは、図１に示すように、第２搬送ローラ対７４のニップ部から版胴２のクランパ４に最も近い位置にマスタ２２の先端が位置する状態とされる。
【０１４４】
上記したとおり、制御手段としての制御部１００は、作動検知手段としてのマスタセット検知センサ３３からの検知信号に基づき、マスタ２２の先端がマスタ先端検知手段としてのマスタ先端検知センサ６３により検知されるまでの間、マスタ搬送駆動手段としての駆動モータ４５をしてマスタ搬送手段としての引き出しローラ４０を動作させてマスタ２２を繰り出すとともに、マスタ先端検知センサ６３によるマスタ２２の先端の検知信号に基づき、プラテン圧制御手段５４をしてサーマルヘッド５６とプラテンローラ６５とによるマスタ２２の挟持可能な状態を設定する機能を有する。
【０１４５】
また、制御部１００は、マスタ先端検知センサ６３からの検知信号に基づいて、プラテン圧制御手段５４をして、サーマルヘッド５６とプラテンローラ６５とによるマスタ２２の挟持動作を断続させる機能を有する。
【０１４６】
また、制御部１００は、マスタセット検知センサ３３によりマスタ保持ユニット２１が製版挿入位置から外れたことが検知されたときに、プラテン圧制御手段５４をして、サーマルヘッド５６とプラテンローラ６５とによるマスタ２２の挟持搬送が解除される状態に設定する機能を有する。
【０１４７】
この実施の形態１は以上のような構成であり、マスタロール２３の着脱から版胴２へのマスタ２２を巻装するまでの動作状態を表す図１０ないし図１９および制御部１００の制御動作を示す図２０および図２１のフローチャートを参照して給版処理動作を説明すると、次のとおりである。
【０１４８】
図１０ないし図１９の動作図は、図の簡明化を図るため図１および図２等に対して幾分模式的に示されており、マスタ保持ユニット２１の構成部品等の図示は適宜省略している。
【０１４９】
図１０は、マスタ保持ユニット２１が製版挿入位置を占めている状態で、マスタロール２３におけるマスタ２２の残量が無くなった場合、あるいはマスタロール２３自体が無い場合等の待機状態を示している。マスタ２２の残量が無くなった、あるいはマスタロール２３自体が無い状態は、マスタ検知センサ３２により検知される。すなわち、マスタロール２３は、消費されて使用限界量に近付くにしたがい、マスタ２２の巻装量が少なくなる。このため、マスタ検知センサ３２から出射されている光は、図８において説明したように、マスタロール２３に設けられた低反射率部２３Ａの影響によって反射しなくなり、マスタ検知センサ３２への反射光量の低下を招く。マスタ検知センサ３２では、反射光量の変化を追跡しており、その光量が所定値以下に達すると、その状態を検知したことを意味する検知信号を制御部１００に出力する。
【０１５０】
制御部１００は、マスタ検知センサ３２からの上記した検知信号が入力されると、装置本体側からのマスタ保持ユニット２１の引き出しを許容する状態を設定する。プラテン圧制御部５５では、偏心カム５９のベース駆動モータ５８に対して、一対の引張バネ６２の付勢力に抗して偏心カム５９の大径部をヘッドベース５７のガイド取付部５７ａ揺動端部に圧接させる回転制御が行なわれる。これにより、サーマルヘッド５６は、プラテンローラ６５とによるマスタ２２への挟持圧を解除する状態となる。
【０１５１】
次いで、図１１において、オペレータによってロール受台２７の把手２７ｂが操作されることにより、マスタ保持ユニット２１のロック状態が解除されてマスタ保持ユニット２１が製版書込み装置２０の外方の矢印方向Ｒに引き出されることにより、ロール受台２７のスライドレール２７ｃが側板７８のガイドレール７９内を摺動しつつ、マスタ保持ユニット２１がロール着脱位置を占める。マスタ保持ユニット２１が矢印方向Ｒに引き出されるとき、図６において、板バネ７７の保持付勢力に抗してローラ軸４１がガイド溝７６から外れるとともに、駆動ギア４６とローラギア４２との噛合が外れる。
【０１５２】
マスタ保持ユニット２１がロール着脱位置を占めるための引き出し量は、マスタロール２３の着脱を行うことができるとともに、少なくともオペレータが引き出しローラ４０を見ることができてローラアーム４３の把手部４３ａを操作可能な状態とされている。そして、マスタロール２３は、そのマスタ２２に対するプラテン圧制御部５５でのプラテン圧を解除されているので、製版書込み装置２０の外方への引き出しの際に抵抗を受けることがない。また、図４および図５において、圧縮バネ２８の付勢力が働いている下で、側板７８のスライド案内部７８ｂに摺接していたフランジ支持板２６のスライド部２６ｂは、マスタ保持ユニット２１が矢印方向Ｒに移動されることにより、スライド案内部７８ｂとの係合を解除され、次いで側板７８の傾斜案内部７８ａとフランジ支持板２６の傾斜部２６ａとが係合・摺接することとなる。これにより、ロールフランジ２５ｂの円錐面部２５ｃは、マスタロール２３の右側の芯管２４内に進入・嵌入している図４に仮想線で示す位置決め位置から、マスタロール２３の右側の芯管２４内から退出した実線で示す非位置決め位置に変位してマスタロール２３とロールフランジ２５ｂとの嵌合・係合状態が解除される。
【０１５３】
そして、マスタ保持ユニット２１がロール着脱位置を占めた状態で、オペレータは、ロール受台２７の収納部２７ｅから使用済みのマスタロール２３を取外した後、図１２に示すように、未使用の新しいマスタロール２３を準備し、新しいマスタロール２３の左側の芯管２４内にロールフランジ２５ａの円錐面部２５ｃを嵌入させる。次いで、オペレータは、図３，図４および図１２に示すように、マスタロール２３からマスタ２２の先端を引き出し、ローラアーム４３の把手部４３ａを持ってローラアーム４３および引き出しローラ４０を図中矢印Ｕ方向に持ち上げてガイド板３５上にマスタ２２の先端部を載置してから、図１３に示すように、ローラアーム４３および引き出しローラ４０を図中矢印Ｄ方向に示す位置に戻す。すなわち、オペレータが、マスタ２２の先端部が載置されたガイド板３５上に引き出しローラ４０を置くことにより、ローラアーム４３および引き出しローラ４０の自重で、ガイド板３５上と引き出しローラ４０との間にマスタ２２の先端部が挾持される。
【０１５４】
次いで、オペレータは、図１４に示すように、ロール受台２７の把手２７ｂを操作して、マスタ保持ユニット２１を、圧縮バネ２８の付勢力に抗して製版書込み装置２０内に向かう矢印方向Ｆに押し込む。この操作により、製版書込み装置２０内から矢印方向Ｒに引き出した上記動作と反対の動作が行われる。すなわち、ロール受台２７のスライドレール２７ｃが側板７８のガイドレール７９内を摺動するとともに、図４および図５において、圧縮バネ２８の付勢力に抗して、側板７８の傾斜案内部７８ａとフランジ支持板２６の傾斜部２６ａとの係合・摺接状態からスライド案内部７８ｂとスライド部２６ｂとの係合・摺接状態に移行することとなる。そして、マスタ保持ユニット２１が製版挿入位置を占める動作と並行して、図４および図５において、ロールフランジ２５ｂは、非位置決め位置から位置決め位置に変位される。このとき、ロールフランジ２５ｂの円錐面部２５ｃがマスタロール２３の右側の芯管２４内に完全に進入・嵌入するとともに、ロールフランジ２５ｂの摩擦抵抗部２５ｄがマスタロール２３の軸方向端面に当接して、マスタロール２３が３次元方向に位置決めされて、換言すれば自動的に調心されるとともにロールフランジ２５ａ，２５ｂに回転自在に支持されて、マスタ保持ユニット２１に装填される。故に、マスタロール２３の着脱を簡単なワンタッチの操作で行うことができる。
【０１５５】
また、マスタ保持ユニット２１が矢印方向Ｆに摺動されるとき、ガイド板３５の自由端部は、ガイド部材５１上に摺接しながらガイド部材５１に沿ってプラテンローラ６５とサーマルヘッド５６との押圧部近傍に移動される。そして、引き出しローラ４０のローラ軸４１の両端部がガイド溝７６に案内されつつ、マスタ保持ユニット２１が製版挿入位置を占めたとき、図６において、板バネ７７の保持力に抗してローラ軸４１がガイド溝７６内の終端部にそれぞれ挿入されるとともに、ローラギア４２が駆動ギア４６に噛合することとなる。
【０１５６】
そして、マスタ保持ユニット２１が製版挿入位置を占めると、マスタ検知センサ３２により、使用限界にない新しいマスタロール２３の存在が検知されるとともに、マスタセット検知センサ３３によってマスタ保持ユニット２１が製版挿入位置にセットされたことが検知される。
【０１５７】
制御部１００では、図２０に示す給版処理が実行される。図１５および図２０において、マスタ検知センサ３２およびマスタセット検知センサ３３からの検知信号が判別される（ステップＳＴ１，ＳＴ２）。両検知センサ３２，３３からの検知信号が入力されていると判別されると、駆動モータ４５が回転駆動されると同時に、引き出しローラ４０が、駆動力伝達機構６９を介してプラテンローラ６５が、また第１、第２回転力伝達機構を介して第１、第２搬送ローラ対７２，７４が時計回り方向にそれぞれ回転され、駆動モータ４５の動作が開始される（ステップＳＴ３）。駆動モータ４５は、所定ステップ数回転駆動するように、制御部１００により予め設定されている。
【０１５８】
引き出しローラ４０が時計回り方向に回転されることにより、ガイド板３５上と引き出しローラ４０との間に挾持されたマスタ２２の先端部は、マスタロール２３が反時計回り方向に回転されつつマスタロール２３からマスタ２２が繰り出されることで、またガイド板３５上に案内されながらマスタ搬送方向Ｔの下流側に搬送される。
【０１５９】
そして、駆動モータ４５の動作開始と同時に、マスタ２２の先端を検知する第１のマスタ先端検知センサ６３Ａからの検知信号の有無が判別される（ステップＳＴ４）。このステップＳＴ４において、駆動モータ４５がその設定されたステップ数回転駆動し、かつ、第１のマスタ先端検知センサ６３Ａがオンしないオフのとき、制御部１００は、引き出しローラ４０の回転により搬送されたマスタ２２がジャム等の故障を生じたものと判断して操作部６４に配設された図示しないＬＣＤ（液晶表示装置）を駆動してそのＬＣＤにジャム表示をさせるようになっている。この処理はサブルーチンのプログラムとして別に決められているが、このフローチャートでは便宜的にＢの処理動作に移行するものとしておく。また、後述するステップＳＴ７およびステップＳＴ９でも上記処理と同様なのでステップＳＴ７およびステップＳＴ９における説明は省略する。
【０１６０】
第１のマスタ先端検知センサ６３Ａからマスタ２２の先端を検知した信号が出力されると、駆動モータ４５において所定ステップ数の回転駆動動作が継続される。この所定ステップ数に相当する駆動モータ４５の回転量は、引き出しローラ４０をして、マスタ２２の先端がプラテン圧制御部５５の押圧部（以下、「ニップ部」というときがある）に達することができる状態とされる（ステップＳＴ５）。この実施の形態１では、駆動モータ４５の回転動作が継続されるとき、第１のマスタ先端検知センサ６３Ａにより先端を検知されたマスタ２２は、このマスタ２２の先端が、第１のマスタ先端検知センサ６３Ａにより検知される位置からプラテン圧制御部５５のプラテンローラ６５とサーマルヘッド５６とのニップ部を通り過ぎるまでの距離２５ｍｍ程度搬送される。
【０１６１】
次いでプラテン圧制御部５５での制御処理が実行される（ステップＳＴ６）。このステップＳＴ６での制御処理は、プラテン圧制御部５５におけるプラテンローラ６５に対してサーマルヘッド５６を当接させてマスタ２２への挟持力、すなわち所定のプラテン圧を作用させる。このため、制御部１００は、図１６において、プラテン圧制御部５５のベース駆動モータ５８を回転制御し、これにより偏心カム５９は、半回転されその小径部がヘッドベース５７におけるガイド取付部５７ａの揺動端部に隙間をもって対向される。この結果、ヘッドベース５７は、図７における一対の引張バネ６２の付勢力により、ベース軸５７ｃを中心としてサーマルヘッド５６を反時計回り方向のプラテンローラ６５側に向けて揺動させるので、サーマルヘッド５６とプラテンローラ６５とがマスタ２２を押圧しながら搬送できる状態とされる。また、ガイド取付部５７ａの揺動端部に対する偏心カム５９の小径部の上記対向回転動作と同時に、ガイド取付部５７ａ上に固定されたガイド部材５１が一緒に上方へ揺動することにより、ガイド板３５の自由端部がガイド部材５１の上方への揺動に連動して、ガイド板軸３６を中心として時計回り方向に若干揺動することとなる。このとき、ガイド板３５の上記揺動動作に伴う引き出しローラ４０のローラ軸４１の揺動は、引き出しローラ４０が上記したようなスポンジローラからなることによりこのスポンジローラがガイド板３５の上記揺動動作に伴って容易に弾性変形することで、引き出しローラ４０の揺動変位が吸収され相殺されることでほとんど無く、それ故にローラ軸４１への負荷の影響は小さく問題とはならない。
【０１６２】
そして、サーマルヘッド５６とプラテンローラ６５とによりマスタ２２が挟持された状態で、プラテンローラ６５が駆動力伝達機構６９を介して時計回り方向に引き出しローラ４０の周速度よりも僅かに速い周速度で回転されることにより、マスタ２２は、回転する引き出しローラ４０とガイド板３５上との間を僅かにスリップしながら、マスタロール２３からマスタ２２を繰り出しつつ、マスタ２２の先端は、案内レール７１Ａに沿って案内されながらマスタ搬送方向Ｔの下流側に搬送されていく。
【０１６３】
そして、マスタ２２の先端を検知する第２のマスタ先端検知センサ６３Ｂからの検知信号の有無が判別される（ステップＳＴ７）。第２のマスタ先端検知センサ６３Ｂからマスタ２２の先端を検知した信号が出力されると、駆動モータ４５において所定ステップ数の回転駆動動作が継続されると同時に、ベース駆動モータ５８が回転駆動されることにより、偏心カム５９が短時間の間（少なくとも１回転以上）連続回転されて、マスタ２２を挟んでサーマルヘッド５６とプラテンローラ６５との接離動作（プラテン圧断続動作）が繰返し行なわれる。回転しているプラテンローラ６５に対するサーマルヘッド５６の接離が繰り返される際には、プラテンローラ６５にサーマルヘッド５６が当接したときにのみマスタ２２がマスタロール２３から繰り出される。またこの動作に連動して、図１６ないし図１７においてプラテンローラ６５を時計回り方向に回転させてマスタ搬送路ＭＲの下流側にマスタ２２を搬送する方向に、マスタ２２を断続的に繰り返し引っ張る。これにより、マスタロール２３から繰り出されニップ部に亘るマスタ２２のシワやスキューが除去され、シワやスキューの発生が防止されている（ステップＳＴ８）。
【０１６４】
次いで、上記したプラテン圧断続動作後、プラテンローラ６５が駆動力伝達機構６９を介して時計回り方向に引き出しローラ４０の周速度よりも僅かに速い周速度で回転されることにより、マスタ２２は、回転する引き出しローラ４０とガイド板３５上との間を僅かにスリップしながらマスタロール２３からマスタ２２を繰り出しつつマスタ搬送方向Ｔの下流側に搬送され、図１７において、さらに第１搬送ローラ対７２の時計回り方向の回転によってマスタ２２の先端は、第１ガイド７３に沿って案内されながらマスタ搬送方向Ｔの下流側に搬送されていく。このとき、第１搬送ローラ対７２の周速度はプラテンローラ６５の周速度よりも速く、かつ、プラテンローラ６５によるマスタ２２の搬送力は第１搬送ローラ対７２によるマスタ２２の搬送力よりも大きいので、第１搬送ローラ対７２は、プラテンローラ６５の回転により搬送されてきたマスタ２２の上下間を極僅かにスリップしながら回転しつつマスタ搬送方向Ｔの下流側に搬送していく。こうして、駆動モータ４５の回転駆動動作により、マスタ２２の先端が第３のマスタ先端検知センサ６３Ｃにより検知されるまで、引き出しローラ４０、プラテンローラ６５及び第１搬送ローラ対７２の回転によるマスタ２２の搬送が継続される。
【０１６５】
そして、マスタ２２の先端を検知する第３のマスタ先端検知センサ６３Ｃからの検知信号の有無が判別される（ステップＳＴ９）。図１７に示すように、第３のマスタ先端検知センサ６３Ｃからマスタ２２の先端を検知した信号が出力されると、制御部１００は、駆動モータ４５を所定ステップ数回転駆動させることにより、引き出しローラ４０、プラテンローラ６５及び第１搬送ローラ対７２及び第２搬送ローラ対７４を所定ステップ数に対応する回転数回転させてマスタ２２の先端を、版胴２におけるクランパ４に対向する位置（図１及び図１８に示す位置状態）に給送させる。このとき、第２搬送ローラ対７４の周速度は第１搬送ローラ対７２の周速度よりも速く、かつ、プラテンローラ６５によるマスタ２２の搬送力は第１、第２搬送ローラ対７２，７４によるマスタ２２の搬送力よりも大きいので、第２搬送ローラ対７４は、引き出しローラ４０、プラテンローラ６５及び第１搬送ローラ対７２の回転により搬送されてきたマスタ２２の上下間を極僅かにスリップしながら回転しつつマスタ搬送方向Ｔの下流側に搬送する（ステップＳＴ１０）。
【０１６６】
ステップＳＴ１０の処理動作の後に、制御部１００は、駆動モータ４５を停止させ、製版待機状態とする（ステップＳＴ１１）。この製版待機状態とは、上記したように、図１及び図１８に示すように、第２搬送ローラ対７４のニップ部から版胴２のクランパ４に最も近い位置にマスタ２２の先端が位置する状態である。マスタ搬送路ＭＲにおける第３のマスタ先端検知センサ６３Ｃの位置から製版待機状態に位置するマスタ２２の先端に至るマスタ２２の移動量は、３０ｍｍ程度に設定されている。
【０１６７】
次いで、操作部６４にて上記製版開始スイッチが操作されると同時に、上記原稿読み取り部で読み取られＡ／Ｄ（アナログ／デジタル）変換された画像情報に応じて、制御部１００により、サーマルヘッド６５の発熱素子が選択的に発熱駆動されることでマスタ２２が加熱溶融され穿孔されていく。この製版動作と並行して、駆動モータ４５が回転駆動されることで引き出しローラ４０、プラテンローラ６５および第１、第２搬送ローラ対７２，７４が回転され、これによって製版済みのマスタ２２の先端が第２ガイド７５に沿って案内されつつマスタ搬送方向Ｔを変えて版胴２のクランパ４に向かって搬送されていく。一方、版胴２側では上記したような排版工程が行われ、版胴２は図１および図１８に示す給版位置で停止した後、版胴２におけるクランパ４の把持部材４Ａが拡開する。そして、駆動モータ４５の所定ステップ数の回転駆動によって、製版書込み装置２０から搬送されてきた製版済みのマスタ２２の先端部が拡開している把持部材４Ａとステージ４Ｂとの間に到達したことが判断されることで、把持部材４Ａが閉じられて製版済みのマスタ２２の先端部がクランパ４に挾持される。この後、製版書込み装置２０から搬送されてくる製版済みのマスタ２２が、版胴２上に繰り出され連続的にあるいは間欠的に時計回り方向に回転する版胴２の外周面上に巻き付けられていく。
【０１６８】
図２１は、プラテン圧制御部５５でのマスタ２２に対する挟持作用を解除するための処理（図においては、自動リセット処理と表示されている）を示している。この自動リセット処理は、マスタ保持ユニット２１が製版書込み装置２０内の製版挿入位置から外方に移動するとき、マスタ２２の挟持を解除してマスタ保持ユニット２１を円滑に引き出せるようにすることを目的としている。
【０１６９】
図２１において、マスタセット検知センサ３３からの信号の出力および第１のマスタ先端検知センサ６３Ａからの信号の出力が判別される（ステップＳＴ１２、ステップＳＴ１３）。ステップＳＴ１２，１３においてマスタセット検知センサ３３から信号が出力されておらず、しかも、第１のマスタ先端検知センサ６３Ａからの信号が出力されている場合には、プラテン圧制御部５５において挟持圧解除処理が実行される（ステップＳＴ１４）。
【０１７０】
ステップＳＴ１４での処理は、プラテン圧制御部５５の偏心カム５９のベース駆動モータ５８を回転駆動させて偏心カム５９の大径部をヘッドベース５７におけるガイド取付部５７ａ揺動端部に接触させる。これにより、プラテンローラ６５からサーマルヘッド５６が離されるので、マスタ２２への挟持圧が解除される。なお、マスタ保持ユニット２１を製版書込み装置２０内の製版挿入位置から外方に引き出すための移動を開始させるとき、プラテン圧制御部５５にてマスタ２２が挟持されていても、マスタ保持ユニット２１が引き出されると、押圧されているマスタ２２に加わる張力によってマスタ保持ユニット２１の収納部２７ｅ内でマスタロール２３が回転して巻解かれて弛むことができる。この結果、プラテン圧制御部５５での挟持力を受けていても、マスタロール２３からのマスタ２２が切断するような破損は、生じることはない。
【０１７１】
以後、印刷工程において、版胴２の外周面から使用済みのマスタ２２が排版される度に、マスタ保持ユニット２１に装填されたマスタロール２３から新たなマスタ２２が繰り出され、サーマルヘッド５６による加熱穿孔が実行されて、版胴２の外周面に巻装されることにより、新たな印刷処理が実行される。
【０１７２】
（変形例１）
図２２および図２３に、上記した実施の形態１の変形例１を示す。
この変形例１は、実施の形態１の製版書込み装置２０に代えて製版書込み装置２００を有することのみ相違する。変形例１の製版書込み装置２００は、実施の形態１の製版書込み装置２０に対して、マスタ保持ユニット２１に代えてマスタ保持ユニット２１０、および一対の側板７８に代えて一対の側板７８０をそれぞれ有することが主に相違する。そして、引き出しローラ４０は、マスタ保持ユニット２１０が製版挿入位置を占めたとき、ガイド板３５に接触し、マスタ保持ユニット２１０がロール着脱位置を占めたとき、ガイド板３５から離間することを特徴とする製版書込み装置２００である。以下、実施の形態１と相違する点について述べる。
【０１７３】
マスタ保持ユニット２１０は、マスタ保持ユニット２１に対して、ロール受台２７のガイド板支持部２７ｆに昇降自在に支持されたローラアーム４３に代えて、ロール受台２７０のガイド板支持部２７１に略水平方向に移動自在に支持された一対のローラアーム４３０を有することが主に相違する。側板７８０は、ガイド溝７６が形成された側板７８に対して、ガイド溝７６に代えてガイド溝７６０を有する連動接離手段２２０を付設していることが主に相違する。
【０１７４】
各ローラアーム４３０は、各側板７８０の内側に配設されていて、倒れた略「く」の字状をなし、鈑金でできている。各ローラアーム４３０の一端側には、ローラ軸４１が回転自在に支持されていて、各ローラアーム４３０の他端側には、段付きピン２９が緩く嵌入されマスタ保持ユニット２１０のロール着脱位置への移動量をかせぐための案内溝４３１が形成されている。
【０１７５】
連動接離手段２２０は、マスタ保持ユニット２１０が製版挿入位置を占めたとき、引き出しローラ４０をガイド板３５上に接触させ、マスタ保持ユニット２１０がロール着脱位置を占めたとき、引き出しローラ４０をガイド板３５から離間させる機能を有する。連動接離手段２２０は、引き出しローラ４０をガイド板３５から離間させるためにローラ軸４１を緩く嵌入する、図において左斜め上方に開口部を有し右斜め下方に傾斜して形成された傾斜溝部７６０ａと、引き出しローラ４０をガイド板３５に接触させるためにローラ軸４１を緩く嵌入する、傾斜溝部７６０ａに連通して略水平方向に形成された水平溝部７６０ｂとから主に構成されている。水平溝部７６０ｂの傾斜溝部７６０ａ寄りの部分から、引き出しローラ４０を回転自在に保持する板バネ７７取付部における水平溝部７６０ｂの終端に至る形状は、引き出しローラ４０をガイド板３５に徐々に接触させるためにやや右斜め下方に傾斜した勾配を形成したものであっても勿論よい。傾斜溝部７６０ａの上記開口部近傍の両側板７８０には、マスタ保持ユニット２１０がロール着脱位置を占めたときに、ロール受台２７０をガイドレール７９から抜け止めさせるストッパ７６１が固設されている。ストッパ７６１は、板バネからできていて、製版書込み装置２００の保守整備時等においてマスタ保持ユニット２１０を装置本体側からロール受台２７０ごと取り外すことができるような所定の弾性力が設定されている。マスタ着脱ユニット２１０が図２２に示すロール着脱位置を占めている状態にあっては、ガイドレール７９とスライドレール２７ｃとの摺動抵抗およびロール受台２７０の自重による抗力の力の総和が、ローラアーム４３０と引き出しローラ４０とがこれらの各自重によって傾斜溝部７６０ａ内を下方へ滑り落ちようとする力よりも十分に大きく設定されているので、ストッパ７６１に対してローラ軸４１を保持クリックするほどの機能を持たせる必要はない。
【０１７６】
次に、実施の形態１と相違する点を中心に動作を述べる。
マスタ保持ユニット２１がロール着脱位置を占めている図２２に示す状態で、オペレータは、ロール受台２７０の収納部２７ｅから使用済みのマスタロール２３を取外した後、図３、図４および図１２に示したと同様にして、新しいマスタロール２３の芯管２４内にロールフランジ２５ａの円錐面部２５ｃを嵌入させてから、マスタロール２３からマスタ２２の先端を引き出し、連動接離手段２２０により引き出しローラ４０がガイド板３５上に案内され当接する位置よりも少なくともマスタ搬送路ＭＲの下流側に相当する位置のガイド板３５上にマスタ２２の先端部を載置する。次いで、オペレータは、ロール受台２７０の把手２７ｂを操作して、マスタ保持ユニット２１を、図２２では図示を省略した圧縮バネ２８の付勢力に抗して製版書込み装置２００内に向かう矢印方向Ｆに押し込むことにより、先ず、ロール受台２７０がローラアーム４３０の案内溝４３１の長さに相当する分摺動する。そして、オペレータは、さらにロール受台２７０を矢印方向Ｆに押し込むことにより、段付きピン２９がローラアーム４３０の案内溝４３１の図において右側の終端部に突き当たり、ロール受台２７０と一緒にローラアーム４３０および引き出しローラ４０が、すなわちマスタ保持ユニット２１０が矢印方向Ｆに移動することとなり、図２３に示すように、ローラ軸４１の両端部がガイド溝７６０の傾斜溝部７６０ａ内および水平溝部７６０ｂ内を摺動しつつ案内されて、引き出しローラ４０がガイド板３５上との間にマスタ２２の先端部を挾持するとともに、引き出しローラ４０のローラ軸４１が水平溝部７６０ｂの終端部および板バネ７７により回転自在に保持される位置、すなわちマスタ保持ユニット２１０が製版挿入位置を占めることとなる。これと同時的に、実施の形態１と同様にして、ローラギア４２が駆動ギア４６に噛合することとなる。
【０１７７】
また、オペレータがロール受台２７０の把手２７ｂを操作して、マスタ保持ユニット２１０を、図２２では図示を省略した圧縮バネ２８の付勢力に抗して製版書込み装置２００内から矢印方向Ｒに引き出すときには、上記動作と反対の動作が行われる。すなわち、オペレータは、ロール受台２７０を矢印方向Ｒに引き出すことにより、先ず、段付きピン２９がローラアーム４３０の案内溝４３１の範囲内において図において左側の終端部に突き当たるまでロール受台２７０のみが矢印方向Ｒに引き出されるとともに、実施の形態１と同様にして、ローラギア４２が駆動ギア４６から離れる。そして、段付きピン２９が案内溝４３１の上記左側の終端部と係合すると、ロール受台２７０と一緒にローラアーム４３０および引き出しローラ４０が、すなわちマスタ保持ユニット２１０が矢印方向Ｒに移動することとなり、ローラ軸４１の両端部が、水平溝部７６０ｂの終端部および板バネ７７により回転自在に保持されている位置から水平溝部７６０ｂ内およびガイド溝７６０の傾斜溝部７６０ａ内を摺動しつつ案内される際に、引き出しローラ４０がガイド板３５上から離間されることによってマスタ２２の先端部の挾持状態が解除される。また上記動作と並行して、ロール受台２７０のスライドレール２７ｃが側板７８０のガイドレール７９内を摺動するとともに、図４および５等にのみ示したように、圧縮バネ２８の付勢力に抗して、側板７８０のスライド案内部７８ｂ（図２２および２３では不図示）とスライド部２６ｂとの係合・摺接状態から側板７８０の傾斜案内部７８ａ（図２２および２３では不図示）とフランジ支持板２６の傾斜部２６ａ（図２２および２３では共に不図示）との係合・摺接状態に移行することとなる。そして、マスタ保持ユニット２１０がロール着脱位置を占める動作と同時に、ロールフランジ２５ｂは、位置決め位置から非位置決め位置に変位される。
【０１７８】
従って、この変形例１によれば、マスタ保持ユニット２１０が製版挿入位置およびロール着脱位置を占める移動に連動して、引き出しローラ４０は連動接離手段２２０によってガイド板３５上に接離可能となっている。それ故に、変形例１によるマスタ２２の先端部のガイド板３５上へのセット動作は、マスタロール２３からマスタ２２の先端を引き出し、連動接離手段２２０により引き出しローラ４０がガイド板３５上に案内され当接する位置よりも少なくともマスタ搬送路ＭＲの下流側に相当する位置のガイド板３５上にマスタ２２の先端部を載置する動作だけでよいので、変形例１によれば、図１２に示したような動作、すなわちローラアーム４３の把手部４３ａを持ってローラアーム４３および引き出しローラ４０を図中矢印Ｕ方向に持ち上げたり、並びに図１３に示したような動作、すなわちローラアーム４３および引き出しローラ４０を図中矢印Ｄ方向に示す位置に戻して引き出しローラ４０とガイド板３５上との間にマスタ２２の先端部を挾持したりする面倒な動作を省くことができる利便性がある。
【０１７９】
（変形例２）
図２４に実施の形態１の別の変形例２を示す。
この変形例２は、実施の形態１に対して、実施の形態１のマスタ保持ユニット２１に代えてマスタ保持ユニット２１Ａを有することのみ相違する。マスタ保持ユニット２１Ａは、ローラアーム４３等を介して引き出しローラ４０がガイド板３５に対して接離可能に構成されたマスタ保持ユニット２１に対して、ガイド板３５に対して引き出しローラ４０を常時接触するように構成したことが主に相違する。以下、実施の形態１と相違する点について述べる。
【０１８０】
マスタ保持ユニット２１Ａは、実施の形態１のマスタ保持ユニット２１に対して、ローラアーム４３に代えて、把手部４３ａおよび案内溝４３ｂを除去するとともに、引き出しローラ４０のローラ軸４１の両端部をして引き出しローラ４０をガイド板３５上に常に接触するように支持するローラアーム４３Ａを有すること、ロール受台２７から左右一対の２個の段付きピン２９を除去したこと、同図において左側のローラ軸４１の他端にマスタ引込つまみ４４を付設したことが主に相違する。ガイド板軸３６寄りのガイド板３５の両側壁には、略「コ」字状をなす板金製のローラアーム４３Ａの下端部が固着されていて、ローラアーム４３Ａの両内側壁の間には、マスタ２２の先端部を介してガイド板３５に常に接触しマスタ２２を搬送する引き出しローラ４０が配設されている。マスタ引込つまみ４４は、合成樹脂でできていて、その外周面には摘んで操作をしやすいようにローレット加工が施されている。マスタ引込つまみ４４は、マスタ保持ユニット２１Ａがロール着脱位置を占めたとき等において、マスタロール２３から引き出されたマスタ２２の先端部が引き出しローラ４０とガイド板３５との挾持部に差し込まれた後で、マスタ引込つまみ４４をして時計回り方向に回転させることにより引き出しローラ４０が同方向に回転することで、マスタ２２の先端をガイド板３５上における上記挾持部よりもマスタ搬送方向Ｔの下流側に繰り出させる操作を行うためのものである。
【０１８１】
次に、実施の形態１と相違する点を中心に簡単に動作を述べる。
【０１８２】
マスタ保持ユニット２１Ａがロール着脱位置を占めている状態で、オペレータは、ロール受台２７の収納部２７ｅから使用済みのマスタロール２３を取外した後、図３、図４および図１２に示したと同様にして、新しいマスタロール２３の芯管２４内にロールフランジ２５ａの円錐面部２５ｃを嵌入させてから、マスタロール２３からマスタ２２の先端を引き出し、引き出しローラ４０とガイド板３５との挾持部にマスタ２２の先端を差し込む。次いで、オペレータは、マスタ引込つまみ４４を時計回り方向に回転させることにより、引き出しローラ４０を同方向に回転させて、マスタ２２の先端をガイド板３５上における上記挾持部よりもマスタ搬送方向Ｔの下流側に繰り出させてから、ロール受台２７０の把手２７ｂを操作して、マスタ保持ユニット２１Ａを、実施の形態１と同様に矢印方向Ｆに押し込む。
【０１８３】
従って、この変形例２によれば、実施の形態１に対して、マスタロール２３から引き出されたマスタ２２の先端を、引き出しローラ４０とガイド板３５との挾持部に差し込み、マスタ引込つまみ４４を時計回り方向に回転させる比較的簡単な操作をすることで、マスタ２２の先端部のガイド板３５上へのセットおよび引き出しローラ４０による自動繰り出し状態が可能となるので、その操作性を向上することができ、また簡素化したローラアーム４３Ａを有することにより、装置の軽量化に寄与することができる利点がある。
【０１８４】
（変形例３）
図２５に実施の形態１のさらに別の変形例３を示す。
この変形例３は、実施の形態１に対して、マスタロール２３からのマスタ２２の繰り出し方向が反時計回り方向である実施の形態１のマスタ保持ユニット２１に代えて、マスタロール２３からのマスタ２２の繰り出し方向を時計回り方向とする構成を備えたマスタ保持ユニット２１Ｂを有することのみ相違する。以下、実施の形態１と相違する点について簡単に述べる。
【０１８５】
マスタ保持ユニット２１Ｂは、実施の形態１のマスタ保持ユニット２１に対して、ロール受台２７Ｂの形状を上方に延ばして、マスタロール２３からのマスタ２２の繰り出し方向を時計回り方向とするためにロール受台２７Ｂのマスタ繰り出し口を下方にしたことのみが相違する。
【０１８６】
（変形例４）
図２６および図２７に実施の形態１の別の変形例４を示す。
この変形例４は、実施の形態１に対して、実施の形態１のマスタ保持ユニット２１に代えてマスタ保持ユニット２１Ｃを有することのみ相違する。マスタ保持ユニット２１Ｃは、マスタ保持ユニット２１のマスタ幅方向ＭＢに進退自在なロール位置決め手段としてのロールフランジ２５ｂおよびロール位置決め案内手段３０に代えて、マスタ貯容手段に設けられた、マスタロール２３の一方の端面ｔに当接可能であってマスタロール２３の一方の端面ｔの位置決めをする位置決め位置（図２６および図２７に実線で示す位置）とマスタロール２３の一方の端面ｔから離間する離間位置（図２７に仮想線で示す位置）との間で移動自在なロール位置決め手段としてのロールフランジ２５ｂ、およびロールフランジ２５ｂを上記位置決め位置に弾性的に付勢する弾性付勢手段としてのねじりコイルバネ１２７を有することが主に相違する。
【０１８７】
ロールフランジ２５ｂの外側壁には、平面視コ字状をなすフランジ取付部材１２９の自由端部が固設されている。フランジ取付部材１２９は、例えば板金がインサートされた合成樹脂でできていて、上記位置決め位置と上記離間位置との間で後述する構造を介して揺動自在となっている。フランジ取付部材１２９の基部は、ロール受台２７における右側のスライドレール２７ｃ内に固設された前後一対の板金製の軸受部材１２８ａ，１２８ｂに挿通されたフランジ軸１２６を介して揺動自在に支持されている。一対の軸受部材１２８ａ，１２８ｂの間のフランジ軸１２６にはねじりコイルバネ１２７が巻装されていて、このねじりコイルバネ１２７によりロールフランジ２５ｂには、上記位置決め位置に常に揺動する習性が付与されている。このねじりコイルバネ１２７の上記付勢力は、上記実施の形態１のロール位置決め案内手段３０によるスライド力と同様に、マスタロール２３を３次元的に位置決めするとともに、ロールフランジ２５ｂの摩擦抵抗部２５ｄによりマスタロール２３の端面ｔに適度な摩擦抵抗力を付与しつつ、マスタロール２３からマスタ２２をマスタ搬送方向Ｔに繰り出すための回転を許容する程度に設定されている。
【０１８８】
この変形例４によれば、実施の形態１のロール位置決め案内手段３０によるようなマスタ保持ユニット２１の挿脱に伴い機械的に連動する機構を有せず、上記の構成を有するから、マスタロール２３をマスタ貯容手段にセットするときには、ねじりコイルバネ１２７の付勢力に抗してロールフランジ２５ｂを離間位置まで揺動させるだけで、後はねじりコイルバネ１２７の付勢力によってマスタロール２３がロールフランジ２５ｂに自動的に調心されつつセットされ、マスタロール２３からマスタ２２が繰り出し可能な状態とされる。マスタロール２３をマスタ貯容手段から取り出すときには、ねじりコイルバネ１２７の付勢力に抗してロールフランジ２５ｂを離間位置まで移動させてマスタロール２３の取り出しがなされる。従って、マスタロール２３をマスタ保持ユニット２１に着脱する際の若干の手間を要するものの、比較的安価な構造によってマスタロール２３の着脱を確実にかつ比較的容易に行うことができる。
【０１８９】
（実施の形態２）
図２８ないし図３１に、本発明に係る第２の発明の実施の形態（以下、単に「実施の形態２」という）を示す。
この実施の形態２は、上記実施の形態１の製版書込み装置２０に対して、符号３００で示す製版ユニットが、印刷装置の本体に対して挿脱可能に設けられていることが主な特徴である。
【０１９０】
すなわち、この実施の形態２は、上記実施の形態１の製版書込み装置２０に対して、マスタ保持ユニット２１に代えて、製版書込み装置２０のマスタ保持ユニット２１と同様の構成を有するマスタ貯容手段を備え、マスタロール２３の着脱が可能であり、かつ、移動不能なマスタ保持部３２１を有すること、マスタ保持部３２１の近傍に設けられマスタロール２３から繰り出されるマスタ２２の先端部を載置するマスタ案内手段としての、製版書込み装置２０と同様なガイド板３５を有すること、マスタ保持部３２１の近傍に設けられマスタ２２の先端部を介してガイド板３５に接触しマスタ２２を搬送するマスタ搬送手段としての、製版書込み装置２０と同様な引き出しローラ４０を有すること、マスタ保持部３２１、ガイド板３５、引き出しローラ４０、上記製版手段、上記裁断手段および第１、第２搬送ローラ対７２，７４が製版ユニット３００を構成していて、この製版ユニット３００が印刷装置の本体に挿入された製版ユニット挿入位置（図２８に示す状態の位置）と、この製版ユニット挿入位置から外れた、マスタロール２３の着脱を行うロール着脱位置（図２９に示す状態の位置）との間で移動自在に構成されていることが主に相違する。
【０１９１】
以下、実施の形態１と相違する点を中心にこの実施の形態２の構成および動作について説明する。
製版ユニット３００の左右両側には、マスタ保持部３２１のロール受台３２７の左側壁部および左右の下部壁部、案内レール７１Ａの左右両端部、第１ガイド７３の左右両端部、第２ガイド７５の左右両端部、上記裁断手段の駆動機構、および図示しない不動部材を介して第１、第２、第３のマスタ先端検知センサ６３Ａ，６３Ｂ，６３Ｃ等をそれぞれ支持する一対のユニット左・右側板３７８が設けられている。またユニット左・右側板３７８には、プラテン圧制御手段５４のカム軸５９ａの右端部、ヘッドベース５７のベース軸５７ｃの左右両端部、プラテンローラ６５のプラテンローラ軸６５ａの左右両端部、第１搬送ローラ対７２の各ローラ軸７２ａ，７２ｂの左右両端部、および第２搬送ローラ対７４の各ローラ軸７４ａ，７４ｂの左右両端部等をそれぞれ回転自在に支持する図示しない軸受部がそれぞれ設けられている。
【０１９２】
製版ユニット３００は、上記ユニット左・右側板３７８により上記各構成部品が支持されていることでユニット化され、図２８および図２９において図中符号Ｆ，Ｒで示す前後両側に移動可能となっている。製版ユニット３００におけるユニット左・右側板３７８の各前後の下端部には、図３０等に示すように、直方体状をなす突条部３８６が４箇所一体的に設けられている。一方、印刷装置の本体側には図２９および図３０等に示すように、ユニット左・右側板３７８を挾んでその各左右両側に左・右本体側板４００が配設されている。左・右本体側板４００には、ユニット左・右側板３７８に形成された各突条部３８６を嵌入して、製版ユニット３００を製版ユニット挿入位置とロール着脱位置との間で移動自在に案内する案内手段としてのガイドレール３８９がそれぞれ固設されている。ガイドレール３８９は、板金でできていて、断面で見てチャンネル状をなしている。各ガイドレール３８９は、その開口部を互いに対向させた状態で、左・右本体側板４００に固設されている。
【０１９３】
右本体側板４００には、図４および図５を借りて括弧を付して示すように、マスタ保持部３２１におけるフランジ支持板２６の傾斜部２６ａおよびスライド部２６ｂと選択的に係合する傾斜案内部４７８ａおよびスライド案内部４７８ｂがそれぞれ配設されている。
【０１９４】
マスタ保持部３２１は、上記の主な相違点の他、マスタ保持ユニット２１のロール受台２７に対して、マスタ保持ユニット２１における一対のスライドレール２７ｃを除去したロール受台３２７を有することが相違する。マスタ保持部３２１における上記マスタ貯容手段に設けられたロール位置決め手段としてのロールフランジ２５ｂは、実施の形態１と略同じ機能、すなわち製版ユニット３００が製版ユニット挿入位置を占めたとき、マスタロール２３の端面ｔに当接可能であってマスタロール２３の端面ｔの位置決めをする位置決め位置と、製版ユニット３００がロール着脱位置を占めたとき、マスタロール２３の端面ｔから離間する非位置決め位置との間で移動自在になされている。
【０１９５】
図５において、符号４３０は、ロール位置決め案内手段を示す。ロール位置決め案内手段４３０は、ロール位置決め手段としてのロールフランジ２５ｂを、位置決め位置と非位置決め位置との間で移動自在に案内する機能を有する。上記の構造のとおり、ロール位置決め案内手段４３０は、マスタ保持部３２１に配設されたフランジ支持板２６の傾斜部２６ａ、スライド部２６ｂ、本体側板４００の右側に配設された傾斜案内部４７８ａ、スライド案内部４７８ｂ、スライド片２６ｃ、溝２６ｄ、支持板案内部２７ａ、圧縮バネ２８および段付きピン２９Ａから構成されている。
【０１９６】
図３１に示すように、符号３６９は、駆動モータ４５の回転駆動力をプラテンローラ６５（同図では省略されている）に伝達する駆動力伝達機構を示す。駆動力伝達機構３６９は、実施の形態１の駆動力伝達機構６９に対して、小径駆動ギア４６Ａを除去したこと、第１アイドラギア４７Ａを右本体側板４００とユニット右側板３７８との間のローラ軸４１に固設したことが主に相違する。第２アイドラギヤ軸４７ｂ、プラテンローラ軸６５ａは、ユニット右側板３７８に回転自在に支持されている。
【０１９７】
右本体側板４００に固設された不動部材（図示せず）には、マスタ搬送駆動手段としての駆動モータ４５が固定されている。左・右本体側板４００には、実施の形態１と同様な構造および機能を有するガイド溝４７６、板バネ４７７がそれぞれ設けられていて、製版ユニット３００が製版ユニット挿入位置を占めたとき、駆動モータ４５からの駆動力が引き出しローラ４０に伝達され、製版ユニット３００がロール着脱位置を占めたとき、駆動モータ４５からの駆動力が引き出しローラ４０に非伝達されるようになされている。従って、駆動力伝達機構３６９により、マスタ搬送駆動手段としての駆動モータ４５は、プラテンローラ６５を回転させるプラテンローラ駆動手段を兼ねている。
【０１９８】
ベース駆動モータ５８は、この実施の形態２では、ユニット右側板３７８の図示しない不動部材に固設されていて、製版ユニット３００側に設けられている。ベース駆動モータ５８は、実施の形態１と同様に、その出力軸にカムギア６１と常時噛合するモータギア６０を有する。
【０１９９】
ユニット右側板３７８の前端下面には、反射面３８７（図中ハッチングで示す）が形成されている。一方、右本体側板４００におけるガイドレール３８９の前端下方には、実施の形態１のマスタセット検知センサ３３に代えて、反射型光学センサからなるマスタセット検知センサ３３３がその内側寄りに配置されている。
【０２００】
この実施の形態２における制御構成は、図９に示した実施の形態１の制御構成に対して、マスタセット検知センサ３３に代えて、マスタセット検知センサ３３３が制御部１００の入力ポートに接続されることのみ相違する。また、この実施の形態２における制御動作は、図２０および図２１に示したフローチャートに対して、ステップＳＴ２のマスタセット検知センサ３３に代えてマスタセット検知センサ３３３とすればよく、このときの制御部１００の動作は、次のとおりである。製版ユニット３００が製版ユニット挿入位置を占めると、マスタセット検知センサ３３３によりユニット右側板３７８の反射面３８７が検知されてその検知信号を制御部１００へ送信する。制御部１００は、マスタセット検知センサ３３３からの検知信号に基づき、図２０におけるステップＳＴ３以降の実施の形態１と同様の制御動作を行う。
【０２０１】
そして、製版ユニット３００を製版ユニット挿入位置から外れた位置に移動させるときには、プラテン圧制御部５５のプラテン圧制御手段５４を駆動して、上記製版手段によるマスタ２２の挾持が解除される状態に設定される。
【０２０２】
従って、この実施の形態２によれば、製版ユニット３００が製版ユニット挿入位置とこの製版ユニット挿入位置から外れた位置とに摺動自在になされているので、印刷装置上方に配置されている原稿読み取り部がスライドしないタイプの場合において、製版ユニット３００を製版ユニット挿入位置から外れた位置に移動させて、上記製版手段におけるプラテンローラ６５、裁断部７０や第１、第２搬送ローラ対７２，７４等における給版搬送部でのマスタ２２のジャム処理を確実、かつ、容易に行うことができる。
【０２０３】
上記実施の形態２では、製版ユニット３００が、マスタ保持部３２１、ガイド板３５、引き出しローラ４０、上記製版手段、上記裁断手段および第１、第２搬送ローラ対７２，７４から構成されていたが、これに限らず、製版ユニットは、製版ユニット３００の上記構成から上記裁断手段および第１、第２搬送ローラ対７２，７４を除去するとともに、上記裁断手段および第１、第２搬送ローラ対７２，７４を印刷装置の本体側に配設してもよい。すなわち、製版ユニットを、少なくともマスタ保持部、マスタ案内手段、マスタ搬送手段および製版手段とによって構成してもよい。
【０２０４】
製版ユニットは、上記実施の形態２等の製版ユニット３００に限らず、例えば実施の形態１や変形例１ないし４の製版書込み装置の各構成を適宜組合わせた製版書込み装置を、製版ユニットとして構成してもよいことは言うまでもない。上記実施の形態２の製版書込み装置に、上記した実施の形態１の変形例１ないし４の各構成を適用することができることは言うまでもない。
【０２０５】
上記実施の形態１，２および変形例１ないし４において、引き出しローラ４０は、上記のような長尺状のものに限らず、その軸方向に複数に分割された、串刺し団子状をなすいわゆる「こま切れローラ」であってもよい。このように引き出しローをこま切れローラとした場合には、コストが安くなる利点がある。
【０２０６】
駆動モータ４５を介して引き出しローラ４０の動作開始時期を検知し引き出しローラ４０の回転によりマスタ２２を繰り出すための動作開始時期を検知する作動検知手段としては、上記実施の形態１，２および変形例１ないし４のマスタ検知センサ３２、マスタセット検知センサ３３，３３３に限らず、これらに代えて、例えば、マスタ保持ユニット２１，２１０，２１Ａ，２１Ｂ，２１Ｃやマスタ保持部３２１におけるロール受台２７，２７０，２７Ｂ，３２７の把手２７ｂ部分を蓋体として開閉可能に構成して、この開閉可能な蓋体の閉鎖状態への移動を検知するためのセンサを設け、このセンサを上記作動検知手段として用いるようにしてもよい。
【０２０７】
上記実施の形態１，２および変形例１ないし４では、マスタセット検知センサ３３，３３３を駆動モータ４５を介して引き出しローラ４０の動作開始のための作動検知手段として用いているが、実施の形態１においては、動作開始時期検知手段としてマスタ検知センサ３２を用いることも可能である。この理由は、マスタ検知センサ３２が、マスタロール２３の有無を検知することに加え、ロール受台２７，２７０，２７Ｂの収納部２７ｅ，２７Ｂｅ内に装填されたマスタロール２３が製版書込み装置２０，２００内の所定位置に配置されたことを検知しているものであることによる。
【０２０８】
上記実施の形態１，２および変形例１ないし４等における作動検知手段としての上記検知手段を省略し、これに代えて、図９に仮想線で囲んだような、駆動モータ４５を介して引き出しローラ４０の動作開始時期を設定する作動設定手段としての作動設定キー６４ａを操作部６４に付設し、マスタ保持ユニット２１，２１０，２１Ａ，２１Ｂ，２１Ｃや製版ユニット３００を製版書込み装置２０，２００内の製版挿入位置や製版ユニット挿入位置に移動させた後、その作動設定キー６４ａを操作するようにしてもよい。この場合には、作動設定キー６４ａが操作された際に得られる動作開始時期設定信号に基づき、制御部１００が、駆動モータ４５を介して引き出しローラ４０の動作を開始させるようにすることができる。この場合、制御部１００は、作動設定キー６４ａからの設定信号に基づき、マスタ２２の先端がマスタ先端検知センサ６３（６３Ａ，６３Ｂ，６３Ｃ）により検知されるまでの間、駆動モータ４５をして引き出しローラ４０を動作させてマスタロール２３からマスタ２２を繰り出すとともに、マスタ先端検知センサ６３（６３Ａ，６３Ｂ，６３Ｃ）によるマスタ２２の先端の検知信号に基づき、プラテン圧制御手段５４をしてサーマルヘッド５６とプラテンローラ６５とによるマスタ２２の挟持状態を設定する機能を有する。
【０２０９】
上記実施の形態１，２および変形例１ないし４等では、プラテン圧制御部５５において、マスタ２２に生じるシワを取り除くシワ矯正処理を実行するために、第２のマスタ先端検知センサ６３Ｂによりマスタ２２の先端が検知された場合にサーマルヘッド５６とプラテンローラ６５との断続的な接離動作を行わせている。しかし、例えば、マスタ２２の先端がプラテンローラ６５の軸線方向に平行に搬送され、マスタ２２にシワが発生しない場合には、シワ矯正処理を実行することは必ずしも必要でない。一方、マスタ２２の先端が、第３のマスタ先端検知センサ６３Ｃにより検知されるまで、サーマルヘッド５６とプラテンローラ６５とを互いに当接させた状態に保持し、第３のマスタ先端検知センサ６３Ｃによるマスタ２２の先端検知信号に基づきプラテン圧制御部５５のベース駆動モータ５８を回転駆動し、サーマルヘッド５６とプラテンローラ６５との断続的な接離動作を行わせてシワ矯正処理を行うようにしてもよい。なお、シワ矯正処理においては、少なくとも１回、サーマルヘッド５６とプラテンローラ６５との当接を解除すればよい。
【０２１０】
上記実施の形態１，２および変形例１ないし４によれば、サーマルヘッド５６およびプラテンローラ６５は、マスタ２２の先端がそれら両部材の設置位置に達した時点で互いに当接するようになっているので、マスタ２２の先端が、上記両部材の設置位置に達するまでの間その進行を阻まれることがなく、プラテン圧を確実に作用させる位置に達してからマスタ２２の先端部を押圧することが可能になる。
【０２１１】
上記実施の形態１，２および変形例１ないし４によれば、マスタ２２の先端がサーマルヘッド５６およびプラテンローラ６５の設置位置に達した時点で接離動作するようになっているので、製版前に、マスタ２２に生じているシワを矯正して良好な製版を行なうことが可能になる。
【０２１２】
上記実施の形態１，２および変形例１ないし４等では、オペレータの操作により、例えばスライドレール２７ｃがガイドレール７９内を摺動する動作を介してマスタ保持ユニット２１，２１０，２１Ａ，２１Ｂ，２１Ｃを製版挿入位置とロール着脱位置との間に移動するように構成したが、これに限らず、装置の簡素化および低価格化等の利点を度外視してもよいのであれば、マスタ保持ユニット２１，２１０，２１Ａ，２１Ｂ，２１Ｃを製版挿入位置とロール着脱位置との間に移動設定するためのキーを操作部６４に設けるとともに、マスタ保持ユニット２１，２１０，２１Ａ，２１Ｂ，２１Ｃの移動をモータ等の駆動により電動化してもよい。
【０２１３】
なお、上記実施の形態１，２および変形例１ないし４等では、プラテンローラ６５を駆動力伝達機構６９，３６９等を介して回転させるように構成したが、これに限らず、プラテンローラ６５を従動回転するように構成することも可能である。この場合、例えばプラテンローラ６５のマスタ搬送方向Ｔの下流側に設けた搬送ローラ対により、引き出しローラ４０の回転搬送動作を介してマスタロール２３からマスタ２２を引き出し、プラテンローラ６５をサーマルヘッド５６に当接させ従動回転させるように構成することができる。
【０２１４】
なお、本発明の実施の形態および実施例は、上述した実施の形態１，２および変形例１ないし４等に限らず、マスタ２２を選択的に加熱穿孔するサーマルヘッド５６と、このサーマルヘッド５６との間にマスタ２２を押圧しながら回転するプラテンローラ６５とを備えた製版手段に限らず、これに代えて、例えばフラッシュ製版あるいはレーザー製版等の製版手段であってもよい。
【０２１５】
なお、上記実施の形態１，２および各変形例１ないし４等では、マスタロール２３に巻かれているマスタ２２に限らず、例えば非常に薄い１ないし３μｍ厚の実質的に熱可塑性樹脂フィルムのみからなるマスタをロール状に巻いたマスタロールを用いることも可能である。ここで、実質的に熱可塑性樹脂フィルムのみからなるマスタとは、マスタが熱可塑性樹脂フィルムのみからなるものの他、熱可塑性樹脂フィルムに帯電防止剤等の微量成分を含有してなるもの、さらには熱可塑性樹脂フィルムの両主面、すなわち表面又は裏面のうち少なくとも一方に、オーバーコート層等の薄膜層を１層又は複数層形成してなるものを含む。
【０２１６】
また、本発明に係る製版書込み装置が装備される印刷装置は、上記した孔版印刷装置１に限らず、例えば、特開平７−１７０１３号公報に示されているような印刷ドラムの外側からインキを供給する構成の印刷装置であってもよい。
【０２１７】
以上述べたとおり、本発明を特定の発明の実施の形態や変形例あるいはこれらに包含されている実施例等について説明したが、本発明の構成は、上述した実施の形態１，２および各変形例１ないし４等に限定されるものではなく、これらを適宜組合わせて構成してもよく、本発明の範囲内において、その必要性及び用途等に応じて種々の発明の実施の形態や実施例を構成し得ることは当業者ならば明らかである。
【０２１８】
【発明の効果】
以上説明したように、請求項１記載の発明によれば、上記構成により、マスタ保持ユニットは、案内手段を介して、製版挿入位置とロール着脱位置との間に移動することができ、またマスタ保持ユニットが製版挿入位置およびロール着脱位置を占める移動に連動して、マスタ搬送手段はマスタ案内手段に接離可能となっていることにより、ロール着脱位置において、オペレータが行うマスタの先端部のマスタ案内手段へのセット操作は、マスタ搬送手段とマスタ案内手段との間でマスタの先端部が挾持される位置のマスタ案内手段にマスタの先端部を載置する操作だけでよく、後はマスタ保持ユニットを製版挿入位置に移動するだけで、マスタ搬送手段とマスタ案内手段との間でマスタの先端部が挾持されるとともにマスタ搬送駆動手段が駆動されることによってマスタ搬送手段が駆動されて、マスタ案内手段とマスタ搬送手段との間で挾持されたマスタの先端部が搬送される。
従って、上述した従来の製版書込み装置が有する種々の問題点を解消することができる。すなわち、原稿読み取り部を移動させる必要がなく、またマスタの先端部を、製版書込み部のサーマルヘッドとプラテンローラとの間に差し込む面倒な作業が不要であるので、マスタロール交換時の作業が簡単で分かり易く、かつ、マスタロールの着脱およびマスタのセットを容易にすることができるとともに、マスタロールからマスタの先端を確実に繰り出すことができて、信頼性が高く、装置の簡素化および低価格化を図れる製版書込み装置を提供することができる。加えて、原稿読み取り部を移動させる必要がないので、原稿読み取り部の機械的強度を高めるための構成部品の加工コストや組立コストを上昇させることがない。
【０２２０】
請求項２記載の発明によれば、上記構成により、ロール位置決め手段が、ロール位置決め案内手段を介して、位置決め位置と非位置決め位置との間で移動自在となっていることにより、請求項１記載の発明の効果に加えて、従来の製版書込み装置のように、マスタロールの芯管の両端にフランジを脱着させる必要がないので、さらに、マスタロール交換時の作業が簡単で分かり易く、かつ、マスタロールの着脱およびマスタのセットを容易にすることができる。
【０２２１】
請求項３記載の発明によれば、上記構成により、マスタロールをマスタ貯容手段にセットするときには、弾性付勢手段の付勢力に抗してロール位置決め手段を離間位置まで移動させるだけで、後は弾性付勢手段の付勢力によってマスタロールがロール位置決め手段にセットされ、マスタロールからマスタが繰り出し可能な状態とされる。マスタロールをマスタ貯容手段から取り出すときには、弾性付勢手段の付勢力に抗してロール位置決め手段を離間位置まで移動させてマスタロールの取り出しがなされる。従って、請求項１記載の発明の効果に加えて、比較的安価な構造によって、マスタロールの着脱を確実にかつ比較的容易に行うことができる。
【０２２２】
請求項４記載の発明によれば、上記構成により、マスタロールをマスタ保持ユニットに装填するとマスタロールの芯管内に略円錐状のロールフランジが嵌入することによって、マスタロールが確実かつ自動的に位置決め調心されるので、上記各発明の効果に加えて、さらに利便性の高い製版書込み装置が得られる。
【０２２３】
請求項５記載の発明によれば、上記構成により、ロールフランジに備えられた摩擦抵抗部によって、マスタロールが繰り出し方向に回転されたときその回転方向に逆らう力となり、マスタロールから繰り出されるマスタに張力（バックテンション）を生じさせるので、請求項４記載の発明の効果に加えて、マスタが繰り出される際に生じやすい弛みをなくすることができる。
【０２２６】
請求項６記載の発明によれば、上記構成により、マスタ保持ユニットが製版挿入位置またはロール着脱位置を占める移動に連動して、マスタ搬送駆動手段からの駆動力がマスタ搬送手段に選択的に伝達されるので、上記各発明の効果に加えて、マスタ保持ユニットの簡素化、軽量化および低価格化を図ることができる。
【０２２７】
請求項７記載の発明によれば、上記構成により、上記各発明の効果に加えて、マスタの加熱製版を確実に行いながら、この加熱製版されたマスタをマスタ搬送方向の下流側に正確に搬送することができる。
【０２２８】
請求項８記載の発明によれば、上記構成により、マスタ搬送手段とマスタ案内手段との間で挾持されたマスタの先端部が、サーマルヘッドとプラテンローラとによるマスタの押圧部に一層接近して案内されるので、請求項７記載の発明の効果に加えて、サーマルヘッドとプラテンローラとによるマスタの挾持を確実にすることができる。
【０２２９】
請求項９記載の発明によれば、上記構成により、マスタ搬送手段とマスタ案内手段との間で挾持されたマスタの先端部が、サーマルヘッドとプラテンローラとによるマスタの押圧部に一層接近してより確実に案内されるので、請求項７または８記載の発明の効果に加えて、サーマルヘッドとプラテンローラとによるマスタの押圧をより確実にすることができる。
【０２３４】
請求項１０記載の発明によれば、上記構成により、作動検知手段からの信号に基づき、制御手段によってマスタ搬送手段の動作開始時期、すなわちマスタ搬送手段とマスタ案内手段との間で挾持されたマスタの先端部を、マスタ搬送駆動手段をしてマスタ搬送手段を動作させて搬送することが可能な状態であることが判別されると、マスタの先端が先端検知手段により検知されるまでの間、マスタ搬送駆動手段をしてマスタ搬送手段を動作させてマスタを繰り出すとともに、先端検知手段によるマスタの先端の検知信号に基づき、プラテン圧制御手段をしてサーマルヘッドとプラテンローラとによるマスタの押圧可能な状態を自動的に設定する。従って、請求項７，８または９記載の発明の効果に加えて、オペレータによるマスタの先端部を製版書込み部のサーマルヘッドとプラテンローラとの間に差し込む面倒な作業、およびマスタの先端部を切断してその切断片を取り除く作業がそれぞれ不要となることによって、給版時での面倒な操作をなくして印刷装置を使用する際の操作性を一層向上させることができる。
【０２３６】
請求項１１記載の発明によれば、上記構成により、マスタ保持ユニットが製版挿入位置から外れるのに合せて、サーマルヘッドとプラテンローラとによるマスタの押圧可能な状態が解除されるので、請求項１０記載の発明の効果に加えて、マスタ保持ユニットをロール着脱位置に引き出すときに、マスタに作用する張力をなくして抵抗なく引き出すことが可能になる。
【０２３８】
請求項１２記載の発明によれば、上記構成により、作動設定手段からの信号に基づき、制御手段によってマスタ搬送手段の動作開始時期、すなわちマスタ搬送手段とマスタ案内手段との間で挾持されたマスタの先端部を、マスタ搬送駆動手段をしてマスタ搬送手段を動作させて搬送することが可能な状態であることが設定されると、マスタの先端が先端検知手段により検知されるまでの間、マスタ搬送駆動手段をしてマスタ搬送手段を動作させてマスタを繰り出すとともに、先端検知手段によるマスタの先端の検知信号に基づき、プラテン圧制御手段をしてサーマルヘッドとプラテンローラとによるマスタの押圧可能な状態を自動的に設定する。従って、請求項７，８または９記載の発明の効果に加えて、オペレータによるマスタの先端部を製版書込み部のサーマルヘッドとプラテンローラとの間に差し込む面倒な作業、およびマスタの先端部を切断してその切断片を取り除く作業がそれぞれ不要となることによって、給版時での面倒な操作をなくして簡単に印刷処理を実行することが可能となる。
【図面の簡単な説明】
【図１】本発明の製版書込み装置に係る実施の形態１が適用された孔版印刷装置の全体構成を示す一部断面正面図である。
【図２】実施の形態１におけるマスタ保持ユニットがロール着脱位置を占めている状態を表すとともに、製版書込み装置の構成を拡大して示す一部断面正面図である。
【図３】実施の形態１におけるマスタ保持ユニットの外観構成を示す斜視図である。
【図４】図３に示したマスタ保持ユニット廻りの要部の平面図である。
【図５】実施の形態１におけるマスタ保持ユニットのロール位置決め手段およびロール位置決め案内手段廻りの外観構成を示す要部の斜視図である。
【図６】実施の形態１におけるマスタ保持ユニットが製版挿入位置を占めている状態を表すとともに、駆動モータおよび駆動力伝達機構廻りの構成を示す要部の斜視図である。
【図７】実施の形態１におけるプラテン圧制御手段廻りの外観構成を示す要部の斜視図である。
【図８】実施の形態１に用いられるマスタロールの構成を一部破断して示す斜視図である。
【図９】実施の形態１における制御部廻りの制御構成を示すブロック図である。
【図１０】実施の形態１における製版書込み装置において、マスタロールのマスタが消費された状態を示す動作図である。
【図１１】実施の形態１における製版書込み装置において、マスタロールのマスタが消費されてマスタ保持ユニットがロール着脱位置に引き出された状態を示す動作図である。
【図１２】実施の形態１における製版書込み装置において、マスタ保持ユニットの収納部にマスタロールをセットしたときの状態を示す動作図である。
【図１３】実施の形態１における製版書込み装置において、マスタ保持ユニットの収納部にセットされたマスタロールからマスタの先端を引き出してガイド板と引き出しローラとの間に挾持した状態を示す動作図である。
【図１４】実施の形態１における製版書込み装置において、マスタ保持ユニットが製版挿入位置に押し込まれた状態を示す動作図である。
【図１５】実施の形態１における製版書込み装置において、引き出しローラの回転によりマスタが搬送されている状態を示す動作図である。
【図１６】実施の形態１における製版書込み装置において、引き出しローラおよびプラテンローラの回転によりマスタが搬送されている状態を示す動作図である。
【図１７】実施の形態１における製版書込み装置において、引き出しローラ、プラテンローラのおよび第１搬送ローラ対の回転によりマスタが搬送されている状態を示す動作図である。
【図１８】実施の形態１における製版書込み装置の製版待機状態を示す動作図である。
【図１９】実施の形態１における製版書込み装置において、引き出しローラ、プラテンローラおよび第１、第２搬送ローラ対の回転によりマスタが搬送され版胴に巻装されていく状態を示す動作図である。
【図２０】図９に示した制御部における給版処理動作を説明するフローチャートである。
【図２１】図９に示した制御部における自動リセット処理動作を説明するフローチャートである。
【図２２】実施の形態１の変形例１のマスタ保持ユニットがロール着脱位置を占めた状態を表すとともに、マスタ保持ユニット廻りの構成を示す要部の斜視図である。
【図２３】図２２に示したマスタ保持ユニットが製版挿入位置を占めた状態を示す要部の正面図である。
【図２４】実施の形態１の別の変形例２を示す要部の斜視図である。
【図２５】実施の形態１の別の変形例３を示す要部の正面図である。
【図２６】実施の形態１のさらに別の変形例４を示す要部の平面図である。
【図２７】図２６におけるロールフランジ廻りの動作を示す要部の側面図である。
【図２８】本発明の製版書込み装置に係る実施の形態２の構成を示す一部断面正面図である。
【図２９】実施の形態２における製版ユニットがロール着脱位置を占めている状態を表すとともに、製版書込み装置の構成を拡大して示す一部断面正面図である。
【図３０】実施の形態２におけるガイドレール廻りの構成を示す要部の斜視図である。
【図３１】実施の形態２における製版ユニットが製版ユニット挿入位置を占めている状態を表すとともに、駆動力伝達機構の構成を示す要部の斜視図である。
【符号の説明】
１                      孔版印刷装置
２０，２００            製版書込み装置
２１，２１Ａ，２１Ｂ，２１Ｃ，２１０    マスタ保持ユニット
２２              マスタ
２３              マスタロール
２４              マスタロールの芯管
２５ａ，２５ｂ    マスタ貯容手段およびロール位置決め手段を構成するロールフランジ
２５ｃ            ロール位置決め手段としての円錐面部
２５ｄ            ロールフランジの摩擦抵抗部
２６              フランジ支持板
２７，２７Ｂ，２７０，３２７      ロール受台
３０              ロール位置決め案内手段
３２              マスタ検知手段としてのマスタ検知センサ
３３，３３３      マスタセット検知手段および作動検知手段を兼ねるマスタセット検知センサ
３５              マスタ案内手段としてのガイド板
４０              マスタ搬送手段としての引き出しローラ
４５              マスタ搬送駆動手段としての駆動モータ
５１              マスタ導入手段としてのガイド部材
５４              プラテン圧制御手段
５５              プラテン圧制御部
５６              製版手段としてのサーマルヘッド
５７              被揺動部材を構成するヘッドベース
５７ａ            被揺動部材を構成するガイド取付部
５８              ベース駆動モータ
５９              揺動部材としての偏心カム
６３              先端検知手段としてのマスタ先端検知センサ
６３Ａ            先端検知手段を構成する第１のマスタ先端検知センサ
６３Ｂ            先端検知手段を構成する第２のマスタ先端検知センサ
６３Ｃ            先端検知手段を構成する第３のマスタ先端検知センサ
６４              操作部
６４ａ            作動設定手段としての作動設定キー
６５              プラテンローラ
６９，３６９      駆動力伝達機構
７１              裁断手段としてのロータリカッタ
７９              案内手段としてのガイドレール
１００            制御手段としての制御部
１２７            弾性付勢手段としてのねじりコイルバネ
３００            製版ユニット
Ｔ                マスタ搬送方向
ＭＲ              マスタ搬送路
ＭＢ              マスタ幅方向
【図１】
0003957791.tif 000002
【図２】
0003957791.tif 000003
【図３】
0003957791.tif 000004
【図４】
0003957791.tif 000005
【図５】
0003957791.tif 000006
【図６】
0003957791.tif 000007
【図７】
0003957791.tif 000008
【図８】
0003957791.tif 000009
【図９】
0003957791.tif 000010
【図１０】
0003957791.tif 000011
【図１１】
0003957791.tif 000012
【図１２】
0003957791.tif 000013
【図１３】
0003957791.tif 000014
【図１４】
0003957791.tif 000015
【図１５】
0003957791.tif 000016
【図１６】
0003957791.tif 000017
【図１７】
0003957791.tif 000018
【図１８】
0003957791.tif 000019
【図１９】
0003957791.tif 000020
【図２０】
0003957791.tif 000021
【図２１】
0003957791.tif 000022
【図２２】
0003957791.tif 000023
【図２３】
0003957791.tif 000024
【図２４】
0003957791.tif 000025
【図２５】
0003957791.tif 000026
【図２６】
0003957791.tif 000027
【図２７】
0003957791.tif 000028
【図２８】
0003957791.tif 000029
【図２９】
0003957791.tif 000030
【図３０】
0003957791.tif 000031
【図３１】
0003957791.tif 000032